(57)【要約】      （修正有）【課題】より使い勝手のよい映像視聴システムを提供する。【解決手段】放送波を介して送信される放送信号を受信する受信部を備える放送受信装置と、放送受信装置と無線ＬＡＮルータを介してまたは直接、情報を送受信する通信Ｉ／Ｆを備える無線端末とを含むシステムであって、無線端末は、放送受信装置とは異なる配信元から、放送波を介して現在または将来放送される番組についての番組関連情報を取得する。放送受信装置は、放送波を介して現在または将来放送される番組に対する放送受信装置の処理状況または処理予定の情報を、通信Ｉ／Ｆを介して無線端末へ送信する。無線端末は、放送受信装置とは異なる配信元から取得した番組関連情報と、通信Ｉ／Ｆを介して放送受信装置から取得した放送受信装置の処理状況または処理予定の情報との両者を用いて、番組表を生成する。【選択図】図１（ａ）
2015109666.tif 000002
【特許請求の範囲】
【請求項１】
放送波を介して送信される放送信号を受信する受信部を備える放送受信装置と、
前記放送受信装置と無線ＬＡＮルータを介してまたは直接、情報を送受信する通信Ｉ／Ｆを備える無線端末とを含むシステムであって、
前記無線端末は、前記放送受信装置とは異なる配信元から、前記放送波を介して現在または将来放送される番組についての番組関連情報を取得し、
前記放送受信装置は、前記放送波を介して現在または将来放送される番組に対する前記放送受信装置の処理状況または処理予定の情報を、前記通信Ｉ／Ｆを介して前記無線端末へ送信し、
前記無線端末は、前記放送受信装置とは異なる配信元から取得した番組関連情報と、前記通信Ｉ／Ｆを介して前記放送受信装置から取得した前記放送受信装置の処理状況または処理予定の情報との両者を用いて、番組表を生成することを特徴とするシステム。
【請求項２】
放送受信装置であって、
放送波を介して送信される放送信号を受信する受信部と、
外部の通信端末と無線ＬＡＮルータを介してまたは直接、情報を送受信する通信Ｉ／Ｆとを備え、
前記通信Ｉ／Ｆは、前記外部の通信端末が前記放送波を介して現在または将来放送される番組についての番組表を生成する際に前記放送受信装置に送信する、前記放送波を介して現在または将来放送される番組に対する前記放送受信装置の処理状況または処理予定の情報の送信要求情報を受信し、前記放送受信装置の処理状況または処理予定の情報を前記外部の通信端末に送信することを特徴とする放送受信装置。
【請求項３】
放送波を介して送信される放送信号を受信する放送受信装置と情報を送受信する無線端末であって、
外部の機器と無線ＬＡＮルータを介してまたは直接、情報を送受信する通信Ｉ／Ｆを備え、
前記放送受信機とは異なる配信元から、前記放送波を介して現在または将来放送される番組についての番組関連情報を取得し、
前記放送波を介して現在または将来放送される番組に対する前記放送受信機の処理状況または処理予定の情報を、前記通信Ｉ／Ｆを介して前記放送受信機から受信し、
前記放送受信機とは異なる配信元から取得した番組関連情報と、前記通信Ｉ／Ｆを介して前記放送受信機から取得した前記放送受信機の処理状況または処理予定の情報との両者を用いて、番組表を生成することを特徴とする無線端末。
【請求項４】
放送波を介して送信される放送信号を受信する受信部を備える放送受信機と前記放送受信機と無線ＬＡＮルータを介してまたは直接、情報を送受信する通信Ｉ／Ｆを備える無線端末とを含むシステムの無線端末において番組表を生成するためのプログラムであって、
前記放送受信機とは異なる配信元から、前記放送波を介して現在または将来放送される番組についての番組関連情報を取得するステップと、
前記放送波を介して現在または将来放送される番組に対する前記放送受信機の処理状況または処理予定の情報を、前記通信Ｉ／Ｆを介して前記放送受信機から取得するステップと、
前記放送受信機とは異なる配信元から取得した番組関連情報と、前記無線通信Ｉ／Ｆを介して前記放送受信機から取得した前記放送受信機の処理状況または処理予定の情報とを用いて、番組表を生成するステップとを実行させるためのプログラム。
【発明の詳細な説明】
【技術分野】
【０００１】
本発明は、映像視聴システムに関する。
【背景技術】
【０００２】
本技術分野の背景技術として、特開２００９−０５５６１４号公報（特許文献１）がある。この公報には、「リモコンと操作対象機器の間で双方向の通信が可能であることから、送達確認により確実な通信を行なったり、ＧＵＩ操作を活用した複雑なコマンド体系を取り扱ったり、比較的広い帯域を利用して動画像ストリーミングなど大容量データ伝送を行なうことができる。」と記載がある。
【先行技術文献】
【特許文献】
【０００３】
【特許文献１】特開２００９−０５５６１４号公報
【発明の概要】
【発明が解決しようとする課題】
【０００４】
前記特許文献１には、様々な使用環境、使用状況に応じて必要な処理等が開示されておらずユーザーにとって使い勝手が十分ではなかった。
【０００５】
本発明は、上記を鑑みてなされたものでありその目的は、より使い勝手のよい映像視聴システムを提供することにある。
【課題を解決するための手段】
【０００６】
上記課題を解決するために、例えば特許請求の範囲に記載の構成を採用すればよい。
【発明の効果】
【０００７】
本発明によれば、本発明によれば、より使い勝手のよい映像視聴システムを提供できる。
【図面の簡単な説明】
【０００８】
【図１（ａ）】第一の実施形態に係る通信端末システムの一実施例を示すブロック図である。
【図１（ｂ）】第一の実施形態に係るテレビ受信機の構成図の一例である。
【図１（ｃ）】第一の実施形態に係る無線端末の構成図の一例である。
【図２（ａ）】無線端末の機器認証プログラム機能についての説明図である。
【図２（ｂ）】テレビ受信機の機器認証プログラム機能についての説明図である。
【図３（ａ）】最初に認証コードを入力してテレビ受信機の認証許可を受ける場合の動作シーケンスの一例を示す図である。
【図３（ｂ）】２回目以降に認証を行う動作シーケンスの一例を示す図である。
【図３（ｃ）】認証動作の動作シーケンスの一変形例を示す図である。
【図４】無線端末の認証画面の表示例を示す図である。
【図５】無線端末の認証コード入力画面の表示例を示す図である。
【図６】無線端末のＷｉ−Ｆｉ環境またはテレビ受信機設置条件によるエラーメッセージの表示例を示す図である。
【図７】無線端末において一のテレビ受信機を認証したときの認証画面の表示例を示す図である。
【図８】無線端末の認証機器を編集（削除）する場合の編集画面の表示例を示す図である。
【図９（ａ）】無線端末のＥＰＧ作成プログラム機能についての説明図である。
【図９（ｂ）】テレビ受信機のＥＰＧ作成プログラム機能、番組予約プログラム機能および番組状態情報作成プログラム機能についての説明図である。
【図１０】番組状態情報のデータ形式の一例を示す図である。
【図１１】図１０の番組状態情報の属性の詳細の一例を示す図である。
【図１２】ＥＰＧ作成部が、ＥＰＧに各番組の属性の識別表示を行うための動作シーケンスの一例を示す図である。
【図１３】テレビ受信機にＥＰＧ画面を表示したときの画面表示の一例を示す図である。
【図１４】無線端末に表示されるＥＰＧの画面表示の一例を示す図である。
【図１５】無線端末に表示されるＥＰＧの配列方法に関する画面表示の一例を示す図である。
【図１６（ａ）】無線端末に表示される現在放送中番組をタップ操作したときの画面表示例を示す図である。
【図１６（ｂ）】無線端末に表示される現在放送中番組を左右にドラッグまたはフリック操作したときの操作例を示す図である。
【図１６（ｃ）】には、ＥＰＧから番組を選局する場合の操作例を示す図である。
【図１７】Ｗｉ−Ｆｉ無線環境または３Ｇ通信環境によるエラーメッセージの表示例を示す図である。
【図１８（ａ）】無線端末のＥＰＧ作成プログラム機能、番組予約プログラム機能についての説明図である。
【図１８（ｂ）】テレビ受信機のＥＰＧ作成プログラム機能、番組予約プログラム機能、番組状態情報作成プログラム機能についての説明図である。
【図１９】予約情報のデータ形式の一例を示す図である。
【図２０】予約情報のデータ形式の一変形例を示す図である。
【図２１】ＥＰＧによる番組予約時の動作シーケンスの一例を示す図である。
【図２２】無線端末に表示されるＥＰＧの画面表示の一例を示す図である。
【図２３】予約設定画面の表示例を示す図である。
【図２４】詳細設定画面の表示例を示す図である。
【図２５】予約状態情報表示の表示例を示す図である。
【図２６（ａ）】無線端末の録画番組一覧作成プログラム機能についての説明図である。
【図２６（ｂ）】テレビ受信機の録画番組一覧作成プログラム機能についての説明図である。
【図２７】録画番組一覧による録画番組の再生動作シーケンスの一例を示す図である。
【図２８】テレビ受信機の録画番組一覧の階層構造の一例を示す図である。
【図２９】無線端末に表示される録画番組一覧の階層構造の画面表示の一例を示す図である。
【図３０】各階層を選択しているときの階層表示例を示す図である。
【図３１】録画番組一覧から番組タイトルを選択する場合の表示例を示す図である。
【図３２】録画番組タイトルをスクロールするときの遷移の一例を示す図である。
【図３３】無線端末で録画番組一覧から番組タイトルを再生した場合の画面表示の一例を示す図である。
【図３４】無線端末における検索画面のポップアップ表示の一例を示す図である。
【図３５】ＥＰＧによる番組予約時の動作シーケンスの一変形例を示す図である。
【図３６】録画番組一覧による録画番組の再生動作シーケンスの一変形例を示す図である。
【図３７】テレビ受信機におけるＥＰＧの配列と表示の例
【図３８（ａ）】無線端末におけるＥＰＧの配列と表示の例
【図３８（ｂ）】無線端末におけるＥＰＧの配列と表示の例
【図３９（ａ）】無線端末におけるＥＰＧの配列と表示の例
【図３９（ｂ）】無線端末におけるＥＰＧの配列と表示の例
【図４０（ａ）】無線端末におけるＥＰＧの配列と表示の例
【図４０（ｂ）】無線端末におけるＥＰＧの配列と表示の例
【発明を実施するための形態】
【０００９】
以下、本発明の実施形態について、図面を参照しながら説明する。
【実施例１】
【００１０】
以下においては、番組配列情報（イベント情報）を含むデジタル放送波を受信し、受信した番組配列情報に基づいてデジタル放送の電子番組表（ＥＰＧ）を表示するデジタル放送受信機能付きテレビ受信機および無線装置を含む通信端末システムを例にして説明を行なう。
【００１１】
日本国で運用されているＢＳデジタル放送、ＣＳデジタル放送、および地上デジタルテレビジョン放送では、１つのトランスポンダ（周波数チャネル）に複数のトランスポートストリーム（以下、「ＴＳ」と略記する）を多重化して伝送している。ＴＳは、社団法人電波産業会（ＡＲＩＢ）の標準規格に従ったデータ構造を有しており、コンテンツデータとしての要素信号（ＥＳ：Elementary Stream）に対して、イベント情報としての番組配列情報をヘッダとして付加した ＴＳパケットで構成されている。
【００１２】
番組配列情報のデータ構造は、ＡＲＩＢ標準規格であるARIB STD-B10「デジタル放送に使用する番組配列情報標準規格」に従ったものである。番組配列情報は、ＭＰＥＧ（Moving Picture Expert Group）−２システム規格で規定された伝送制御情報であるＰＳＩ（Program Specific Information：番組特定情報）と、ＥＰＧなどを構築するためのＳＩ（Service Information：サービス情報）とで構成される。
【００１３】
ＳＩは、ＢＩＴ（Broadcaster Information Table：放送局情報テーブル）、ＳＤＴ（Service Description Table：サービス記述テーブル）、ＥＩＴ（Event Information Table：イベント情報テーブル）およびＴＯＴ（Time Offset Table：時刻オフセットテーブル）の４つのテーブルで構成されている。
【００１４】
ＢＩＴは、ネットワーク内の放送局に関する情報を記載したものである。ＳＤＴは、ＴＳ情報部とサービス情報部に分かれており、ＴＳ情報部は、ネットワークを識別するためのネットワークＩＤと、ＴＳを識別するためのＴＳ ＩＤ（Identifier）とを含んでいる。
【００１５】
ネットワークＩＤは、ＢＳネットワーク、ＣＳ１ネットワークおよびＣＳ２ネットワークには、それぞれ異なるネットワークＩＤが割り当てられている。また、地上デジタル放送の場合は、同じ地域では放送局ごとに異なる値のネットワークＩＤが割り当てられている。サービス情報部は、ネットワーク内で個々のサービス（チャンネル）を識別するための識別子であるサービスＩＤ（いわゆるチャンネル番号）を含んでいる。
【００１６】
ＥＩＴは、イベント(いわゆる番組)ごとの番組情報を記述したものであり、サービス情報部とイベント情報部に分かれている。サービス情報部は、ネットワーク内で個々のサービス（チャンネル）を識別するための識別子であるサービスＩＤ（いわゆるチャンネル番号）を含んでいる。イベント情報部は、イベントＩＤ、イベント開始時刻、イベント継続時間、イベントの名称(いわゆる番組タイトル)、イベントのジャンルなどを含んでいる。ＴＯＴは、現在時刻を記述したものである。
【００１７】
なお、以上は日本国で運用されているデジタル放送について説明したが、各国で運用されているデジタル放送においても、上記の番組配列情報と同様の番組情報を伝送している。よって、以下に説明する本発明は、各国のデジタル放送について適用することが可能である。
【００１８】
以下、本発明に係る第一の実施形態を説明する。
【００１９】
［システム構成］
図１（ａ）は、第一の実施形態に係る通信端末システムの一実施例を示すブロック構成図である。
【００２０】
本実施例の通信端末システムは、例えば、テレビ受信機１、無線端末１５、無線ルーター１３、外部ネットワーク１４から構成される。図示の例は、情報通信端末としての携帯電話機等の移動体通信端末である無線端末１５の利用者が、その無線端末１５を持って家庭や店舗等で、テレビ受信機１でテレビ番組を視聴しているときの例である。
【００２１】
無線ルーター１３は、Ｗｉ−Ｆｉなどの無線ＬＡＮ機能を備え、通信回線を経由して外部ネットワークに接続できる。また、無線ルーター１３は、テレビ受信機１、テレビ受信機２４、無線端末１５、外部ネットワーク１４と接続されており、テレビ受信機１、テレビ受信機２４または無線端末１５は、インターネット網から情報を入手することができる。
【００２２】
また、無線ルーター１３は、テレビ受信機１またはテレビ受信機２４とは、有線ＬＡＮまたは無線ＬＡＮで接続されており、無線端末１５とは無線ＬＡＮで接続されているものとする。ここで、Ｗｉ−Ｆｉは、ＩＥＥＥ(米国電気電子学会)の規格「IEEE 802.11a/IEEE 802.11b」で策定された無線ＬＡＮ（Local Area Network）の標準規格である。
【００２３】
図１（ｂ）は、テレビ受信機１の構成図の一例である。
【００２４】
テレビ受信機１は、アンテナ３８に接続され、チューナ・復調部２、信号分離部３、制御部４、選局制御部５、入力手段６、ストレージ８、メモリ３７、重畳部１０、表示部１１、通信Ｉ／Ｆ１２、音声復調部３９、映像復調部４０、スピーカ４１、音声出力部４２、映像出力部４３などを含む。それぞれの処理部がバス１２０を介して接続される。
【００２５】
また、テレビ受信機１は、アプリケーションプログラムをストレージ８に格納可能としており、制御部４がストレージ８から上記プログラムをメモリ３７に展開し、制御部４が上記プログラムを実行することでさまざまな機能を実現することができる。以後の説明では説明を簡単にするため、制御部４が各アプリケーションプログラムを実行して実現する各種機能を、各種プログラム機能部が主体となって実現することとして説明する。
【００２６】
なお、アプリケーションプログラムは、テレビ受信機１が出荷されるまでに予めストレージ８に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介してテレビ受信機１にインストールされても良い。また、通信Ｉ／Ｆ１２及び無線ルーター１３を介して外部ネットワーク１４からダウンロードしてインストールすることも可能である。
【００２７】
また、アプリケーションプログラムの各種機能は同様の機能を持つ処理部として、ハードウェアで実現することも可能である。ハードウェアとして実現する場合は、各処理部が主体となって各機能を実現する。
【００２８】
入力手段６は、ユーザーからのテレビ受信機１に対する操作を受け付け、入力操作に関する制御情報を入力する入力手段であり、例えば、リモコン、キーボード、マウス等のポインティングデバイス等により実現される。
【００２９】
制御部４は、ユーザーの操作要求を入力手段６を経由して受け取り、信号分離部３、選局制御部５、ストレージ８、重畳部１０、通信Ｉ／Ｆ１２、各種プログラム機能部の各ブロックを制御する。
【００３０】
ストレージ８は、制御部４の指示により制御され、アプリケーションプログラムを保存することができる。また、アプリケーションプログラムで作成した各種情報を保存する。また、チューナ・復調部２や通信Ｉ／Ｆ１２から受信した信号から映像音声ストリーム等のコンテンツを保存してもよい。
【００３１】
メモリ３７は、制御部４の指示により制御される。メモリ３７に、ストレージ８に格納しているアプリケーションプログラムの機能部が展開される。
【００３２】
チューナ・復調部２は、選局制御部５により、所望のサービスのチャンネルに同調することで、放送局より放送信号を受信し、受信した放送信号を復調してトランスポートストリームを取得する。なお、図１(b)の例では、説明を簡単にするため、チューナ・復調部２が一つの構成を例示している。しかしながら、視聴と録画を並行して行う機能や伝送周波数の異なる複数のチャンネルのコンテンツを同時に視聴する機能を搭載する場合は、複数のチューナ・復調部２を搭載すればよい。したがって、以下の説明におけるチューナ・復調部２は、すべて同一である必要はない。それぞれの処理に応じて異なるチューナ・復調部であってもよい。
【００３３】
選局制御部５は、入力手段６を経由してサービスを選局する指示を受け、指示に応じて選局するチャンネルを切り替えるようにチューナ・復調部２を制御する。また、選局制御部５は、各種プログラム機能部からの指示を受けとることができ、現在放送中のイベント（番組）を放送しているサービス（チャンネル番号）およびそのサービスが属する放送提示単位に切り替えるようにチューナ・復調部２を制御する。
【００３４】
通信Ｉ／Ｆ１２は、有線ＬＡＮまたは無線ＬＡＮにより、無線ルーター１３に接続される。また、通信Ｉ／Ｆ１２は無線ルーター１３との通信機能に加えてまたはこれに替えて、Ｗｉ‐Ｆｉ（登録商標）などの無線ＬＡＮ、ＩｒＤＡ(登録商標)、Ｂｌｕｅｔｏｏｔｈ(登録商標)、ＮＦＣ（Near Field Communication）などの方法で外部の機器と無線ルーター１３を介さずに直接通信するように構成してもよい。通信Ｉ／Ｆは、異なる通信方式を行うチップをそれぞれ実装しても良い。また、複数の通信方式を扱う１つのチップとして実装されていても良い。以下、通信Ｉ／Ｆ１２は無線ルーター１３を介してテレビ受信機２４や無線端末１５と各種情報を送受信する例を説明するが、上述のとおり無線ルーター１３を介さずに各種情報を直接送受信してもよい。また、通信Ｉ／Ｆ１２は、無線ルータ１３を介して外部ネットワークと接続された装置とも各種情報を送受信可能である。例えば、外部ネットワークと接続されたサーバからＩＰ放送や、ビデオオンデマンド、など形態でコンテンツストリーム（映像音声ストリーム）を受信することも可能である。また、外部ネットワークと接続されたサーバから映像ストリームやアプリケーションプログラムをダウンロードすることも可能である。ダウンロードした情報は、例えば、ストレージ８に格納される。
【００３５】
信号分離部３は、チューナ・復調部２で得たトランスポートストリームや、通信Ｉ／Ｆ１２を介して得たコンテンツのストリームについて、映像データ、音声データ、字幕文データ、番組情報等、種類ごとに分離する。また番組情報（例えば、番組配列情報ＳＩ）を取得し、他の処理ブロックに送信する機能を有する。また、他の処理部からデータ送信要求があった場合には、指定されたデータを、要求元へデータを送信する。
【００３６】
音声復号部３９は、信号分離部３で分離した音声データを復号する。音声復号部３９で復号された音声情報は、スピーカ４１から出力される。音声復号部３９で復号された音声情報は、音声出力部４２から外部機器へ出力してもよい。
【００３７】
映像復号部４０は、信号分離部３で分離した映像データを復号する。映像復号部４０で復号された映像情報は、重畳部１０に送られる。
【００３８】
重畳部１０は、映像復号部４０から送られる復号映像情報に各種プログラム機能部で作成されたＥＰＧ画像、ＯＳＤ画像や、信号分離部３から分離された各種情報（字幕情報、字幕スーパー、データ放送データ等）から生成された画像等を重畳する。
【００３９】
重畳部１０を経た映像情報は表示部１１で表示する。表示部１１は、例えばテレビやパソコンのディスプレイあるいは液晶パネル等によって構成される。また、重畳部１０を経た映像情報は、映像出力部４３から外部機器へ出力してもよい。
【００４０】
また、信号分離部３で所定の番組についてのトランスポートストリームを分離し、映像や音声を復号せずに出力するデジタルＩ／Ｆ４４を設けてもよい。
【００４１】
テレビ受信機２４の各部の構成は、テレビ受信機１と同様のため、ここでは説明を省略する。本実施例では１はテレビ受信機として説明をするが、レコーダーなどで代替することも可能であり、この場合は図１（ｂ）のテレビ受信機の構成からスピーカ４１や表示部１１を省略することも可能である。
【００４２】
図１（ｃ）は無線端末１５の構成図の一例である。
【００４３】
無線端末１５は、例えば、通信Ｉ／Ｆ１６、制御部１７、表示部１９、入力手段２０、信号分離部２１、チューナ・復調部２２、ストレージ２５、移動体通信Ｉ／Ｆ３１、メモリ３２、加速度センサ部３３、地磁気センサ部３４、ＧＰＳ受信部３５、ジャイロセンサ部３６から構成され、それぞれの処理部がバス１２１を介して接続される。
【００４４】
また、無線端末１５は、アプリケーションプログラムをストレージ２５に格納しており、制御部１７がストレージ２５から上記プログラムをメモリ３２に展開し、制御部１７が上記プログラムを実行することで各種機能を実現することができる。以後の説明では説明を簡単にするため、制御部１７が各アプリケーションプログラムを実行して実現する各種機能を、各種プログラム機能部が主体となって実現することとして説明する。
【００４５】
なお、アプリケーションプログラムは、無線端末１５が出荷されるまでに予めストレージ２５に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して無線端末１５にインストールされても良い。また、通信Ｉ／Ｆ１６及び無線ルーター１３を介して外部ネットワーク１４からダウンロードしてインストールしてもよい。若しくは移動体通信Ｉ／Ｆ３１を介して基地局２３を介して配信元からダウンロードしてインストールしてもよい。さらに、ネットワークを介してアプリケーションプログラムを取得したパーソナルコンピュータ（ＰＣ）に図示しない外部機器接続Ｉ／Ｆを介して接続し、ＰＣから無線端末１５にムーブまたはコピーしてインストールすることも可能である。
【００４６】
また、アプリケーションプログラムは、同様の機能を持つ処理部として、ハードウェアで実現することも可能である。ハードウェアとして実現する場合は、各処理部が主体となって各機能を実現する。
【００４７】
通信Ｉ／Ｆ１６は、無線ＬＡＮなどにより、無線ルーター１３に接続される。無線ルーター１３との通信機能に加えてまたはこれに替えて、Ｗｉ‐Ｆｉ（登録商標）などの無線ＬＡＮや、ＩｒＤＡ（登録商標）、Ｂｌｕｅｔｏｏｔｈ（登録商標）、ＮＦＣ（Near Field Communication）などの方法で、無線ルーター１３を介さずにテレビ受信機１またはテレビ受信機２４などの他の機器と直接通信することが可能である。通信Ｉ／Ｆは、テレビ受信機１の通信Ｉ／Ｆ１２と各種情報の送受信を行う。また、通信Ｉ／Ｆ１６は、無線ルーター１３を介して外部ネットワークと接続され、外部ネットワーク上のサーバ等と情報の送受信を行う。通信Ｉ／Ｆは、異なる通信方式を行うチップをそれぞれ実装しても良い。また、複数の通信方式を扱う１つのチップとして実装されていても良い。  移動体通信Ｉ／Ｆ３１は、ＧＳＭ（登録商標）（Global System for Mobile Communications）方式、Ｗ−ＣＤＭＡ(Wideband Code Division Multiple Access)方式やＣＤＭＡ２０００方式、ＵＭＴＳ（Universal Mobile Telecommunications System）方式などの第3世代移動通信システム（以下「３Ｇ」と表記する）、またはＬＴＥ（Long Term Evolution）方式などの移動体通信網を利用して基地局２３を通して通信ネットワークに接続され、通信ネットワーク上のサーバと情報の送受信を行うことができる。
【００４８】
制御部１７は、ユーザーの操作要求を入力手段２０を経由して受け取り、信号分離部２１、表示部１９、通信Ｉ／Ｆ１６、各種プログラム機能部を制御する。
【００４９】
さらに、制御部１７は、通信Ｉ／Ｆ１６及び無線ルーター１３を経由して外部ネットワーク１４、または、移動体通信Ｉ／Ｆ３１及び基地局２３を経由して外部ネットワーク１４からも番組情報を抽出し番組配列情報ＳＩを取得でき、各種プログラム機能部に渡す機能も有する。
【００５０】
本実施例では、信号分離部２１でデジタル放送の番組情報を抽出し番組配列情報ＳＩを取得する場合の例について説明するが、通信Ｉ／Ｆ１６や移動体通信Ｉ／Ｆ３１を介して外部ネットワークや配信元から番組配列情報ＳＩを取得することも可能である。この場合は信号分離部２１及びチューナ・復調部２２を無線端末１５の構成から省略することも可能である。
【００５１】
ストレージ２５は、制御部１７の指示により制御され、アプリケーションプログラムを保存することができる。また、アプリケーションプログラムで作成した各種情報を保存する。また、チューナ・復調部２２、通信Ｉ／Ｆ１６、または移動体通信Ｉ／Ｆ３１から受信した信号から映像音声ストリーム等のコンテンツを保存してもよい。
【００５２】
メモリ３２は、制御部１７の指示により制御される。制御部１７によってメモリ３２に、ストレージ２５に格納しているアプリケーションプログラムの機能部が展開される。
【００５３】
表示部１９は、画像や映像を表示する。表示する画像、映像はアプリケーションプログラムで生成された画像でもよく、チューナ・復調部２２を介して受信したコンテンツの画像、映像でもよく、通信Ｉ／Ｆ１６を介して外部ネットワーク上のサーバから受信した画像、映像でもよく、通信Ｉ／Ｆ１６を介してテレビ受信機１から受信した画像、映像でもよく、移動体通信Ｉ／Ｆ３１を介して通信ネットワーク上のサーバから配信された画像、映像でもよい。また、表示部１９は、例えば下記のタッチパネル等と一体として構成されてもよい。
【００５４】
入力手段２０は、ユーザーからの無線端末１５に対する操作を受け付け、入力操作に関する制御情報を入力する入力手段であり、例えば、物理的なボタンやタッチパネルなどを用いることができる。以下、本実施例では、タッチパネルを使用した例について説明するが各種操作は物理的なボタンを用いる構成でもよい。
【００５５】
タッチパネル上の任意オブジェクト（アイコン）等を指でタッチした状態で移動する操作（ドラッグ操作）または画面上で指をはじくようにして動かす操作（フリック操作）を行うことによりオブジェクト等を自由に移動したりすることができる。また、オブジェクト等を指で１回叩く操作（タップ操作）または２回叩く操作（ダブルタップ操作）を行うと、オブジェクト（アイコン）等を活性化したり別の画面に切り替えたりすることができる。本実施例では、上述のタッチパネルの各操作をドラッグ操作、フリック操作、タップ操作と称して説明する。
【００５６】
チューナ・復調部２２、信号分離部２１は、それぞれテレビ受信機１のチューナ・復調部２、信号分離部３、と同等の働きを持つ。これらの機能は既に説明したので説明を省略する。
【００５７】
加速度センサ部３３は、無線端末１５にかかる加速度を測定する。制御部１７は、例えば加速度センサ部３３により重力加速度を測定することによって、無線端末１５のどの部分が上方であるのかを知ることができ、表示部１９に表示させる画面の上方を加速度センサ部３３が測定した上方と合わせるように表示させることによって、ユーザーによる無線端末１５の持ち方に合わせた画面を表示させることができる。
【００５８】
地磁気センサ部３４は、複数の磁気センサを利用するなどして地磁気を測定する。
【００５９】
ＧＰＳ受信部３５は、ＧＰＳ（Ｇｒｏｂａｌ  Ｐｏｓｉｔｉｏｎｉｎｇ  Ｓｙｓｔｅｍ）を利用して複数の衛星から送信される信号を受信する。制御部１７は、ＧＰＳ受信部３５が受信した信号を基に、無線端末１５の位置情報を計算することができる。制御部１７は、例えば通信Ｉ／Ｆや移動体通信Ｉ／Ｆを介してネットワークから番組配列情報ＳＩを取得する場合に、無線端末１５の位置情報を番組配列情報ＳＩの送信元に送信し、番組配列情報ＳＩの送信元は無線端末１５がある地域に応じた番組配列情報ＳＩを無線端末１５に送信することができる。
【００６０】
ジャイロセンサ部３６は、無線端末１５をユーザーが動かした場合などに発生する無線端末１５の角速度を測定する。
【００６１】
［認証・接続・初回設定］
以下、無線端末１５を最初に使用する場合の機器認証、初回設定等の動作例について、図１（ａ）〜（ｃ）、図２（ａ）（ｂ）、図３（ａ）〜（ｃ）および図４〜図８を用いて説明する。
【００６２】
図２（ａ）は、無線端末１５の機器認証プログラム機能についての説明図である。図２（ａ）において、無線端末１５の構成のうちストレージ２５とメモリ３２を示している。図２（ａ）は、ストレージ２５に機器認証プログラム２００１を格納しており、制御部１７が機器認証プログラム２００１をメモリ３２に機器認証部２００２として展開した状態を示している。機器認証プログラム２００１は、製品の出荷時点でストレージ２５に格納しておいてもよく、通信Ｉ／Ｆ１６または移動体通信Ｉ／Ｆ３１を介してダウンロードしてもよい。
【００６３】
図２（ｂ）は、テレビ受信機１の機器認証プログラム機能についての説明図である。図２（ｂ）において、テレビ受信機１の構成のうちストレージ８とメモリ３７を示している。図２（ｂ）は、ストレージ８に機器認証プログラム２００３を格納しており、制御部４が機器認証プログラム２００３をメモリ３７に機器認証部２００４として展開した状態を示している。機器認証プログラム２００３は、製品の出荷時点でストレージ８または図示しない不揮発性メモリーに格納しておいてもよく、通信Ｉ／Ｆ１２またはデジタル放送波を介してダウンロードしてもよい。
【００６４】
以下、当該機器認証部２００２または機器認証部２００４による機能を説明する。
【００６５】
機器認証にあたり、テレビ受信機１にはユーザーによる入力手段６を用いた入力によって設定された、若しくはテレビ受信機１の工場出荷前などに予め設定されたユーザーＩＤ及びパスワードなどの認証情報がストレージ８に記憶されており、機器認証部２００２はこれを参照できるものとする。また、上記の認証情報はテレビ受信機１側で本機能利用時に自動的に生成することもできる。また、上記の認証情報はユーザーによる操作によって表示部１１に表示させたり、テレビ受信機１の購入時に添付された書類等によってユーザーが確認したりできるものとする。
【００６６】
無線端末１５の機器認証部２００２は、テレビ受信機１からの認証を受けるために、入力手段２０が受け付けたユーザー操作によって入力された認証情報を通信Ｉ／Ｆ１６、通信Ｉ／Ｆ１２を経由して、機器認証部２７に対して送信する。
【００６７】
テレビ受信機１の機器認証部２００４は、ストレージ８に記憶された認証情報と機器認証部２００２から送信された認証情報を比較し、機器認証部２００２から送信された認証情報が正しい認証情報である場合は、機器認証部２００２に対して接続をするための接続許可を発行する。一方、認証情報が誤っている場合には、機器認証部２００４は機器認証部２００２に対して接続許可を発行しない。
【００６８】
また、２回目以降に認証動作については、認証情報が一致した場合にのみ認証を許可すればよいため、無線端末１５からの予約情報などの情報に認証情報を付加して送信することにより認証動作のステップを簡略化することもできる。テレビ受信機１側で認証情報を変更した場合は、無線端末１５において入力手段２０から認証情報を新たに再設定すれば良い。
【００６９】
上記は認証方法の一例であり、例えば無線ＬＡＮでテレビ受信装置１と無線端末１５を接続する場合にＳＳＩＤ（Service Set Identifier）とＷＥＰキーまたはＷＰＳキーを用いた認証・暗号化方法を用いるなど、認証の方法や認証成功時に送受信する情報の暗号化の方法など、その他の技術を用いてもよい。
【００７０】
以下、図３（a）〜（ｃ）を用いて、機器認証プログラム２００１と無線端末１５の各ハードウェアの協働および機器認証プログラム２００３とテレビ受信機１の各ハードウェアの協働により実現される動作シーケンスについて説明する。
【００７１】
図３（ａ）は、最初に認証コードを入力してテレビ受信機１の認証許可を受ける場合の動作シーケンスの一例を示す図である。
【００７２】
本シーケンスの例では、テレビ受信機１側のメニュー設定等でネットワーク連携を「入」／「切」にしたりＷＯＬ（Wake On LAN）の設定を「入」／「切」設定したりするための「ネットワーク連携設定」機能を持っている。図３（ａ）−（１）の例では、この機能を使用しないために「ネットワーク連携設定」を「切」の設定にしている場合の動作シーケンスである。無線端末１５から入力手段２０が受け付けたユーザー操作によって入力された認証コードは、テレビ受信機１に送信されるが、テレビ受信機１は「ネットワーク連携設定」が「切」に設定されているため、接続許可を応答しない。無線端末１５は、規定時間内に応答が無いことを確認して、テレビから応答がない旨や接続できない旨などのメッセージを表示することができる。
【００７３】
図３（ａ）−（２）の例では、「ネットワーク連携設定」が「入」の設定になっており、正しい認証コードが入力された場合の動作シーケンス例である。テレビ受信機１の機器認証部２００２が、無線端末１５の認証部２００４で入力され、送信された認証コードがテレビ受信機１に登録されたと一致する場合に、認証が成功する。この際に、無線端末１５のユーザ名とＭＡＣアドレスを、連携機器情報として、テレビ受信機１のストレージ８や図示しない不揮発性メモリなどに格納してもよい。
【００７４】
図３（ｂ）は、２回目以降に認証を行う動作シーケンスの一例を示す図である。入力された認証コードと予め登録された認証コードが一致したために、接続許可される。
【００７５】
本シーケンス例では、予約登録を行う場合に番組予約情報に認証コードを付加して認証許可を受ける場合の例を示している。無線端末１５のＥＰＧ作成部１８で作成されたＥＰＧにより番組予約を行い予約登録を行う場合、番組予約情報とともに認証コードがテレビ受信機１に送信され、予約登録されると予約状態情報がテレビ受信機１から返信され正しく予約されたことが確認できる。ＥＰＧ作成部１８や番組予約の動作については、後述する［番組表表示からの予約（録画）］の実施例で述べるので、ここでは詳細の説明は省略する。このように、無線端末１５からテレビ受信機１へ各種情報を送信する際に、認証コードとともに送信することで認証した機器によるテレビ受信機１の制御を実現することができる。
【００７６】
図３（ｃ）は、認証動作の動作シーケンスの一変形例を示す図である。
【００７７】
前述したように、テレビ受信機１は、ネットワーク連携設定機能の一つとして、例えば、ＷＯＬ（Wake On LAN）機能を「入」にする機能を搭載してもよい。テレビ受信機１のネットワーク機能が省電力のためにスタンバイ状態になっていても、無線端末１５から当該テレビ受信機のＭＡＣアドレスを含むマジックパケットを送信することによりテレビ受信機１のネットワーク機能を立ち上げることが可能となっている。本シーケンス例では、無線端末１５から認証コードをテレビ受信機１に送信する前に、マジックパケットを送信して事前にネットワークを起動することができる。また、認証動作時だけでなく、無線端末１５側で直接テレビに関連のない機能を操作したときに先にテレビ受信機１に対してマジックパケットを送信することにより、テレビ受信機１の動作を素早く行うことができる。なお、図３において、無線端末１５がマジックパケットをテレビ受信機１に送信した後であっても、認証が完了するまでの間に無線端末１５から認証コードとともに制御情報を送信しても、テレビ受信機１から無線端末１５へ応答がない。この場合は、無線端末１５は、テレビ受信機１から応答がない旨の表示やしばらくしてから再度操作を行って欲しいことを旨の表示をユーザに対して行ってもよい。認証が完了した後の処理は、図３（ｂ）と同様である。
【００７８】
次に、認証画面の表示例と処理について、図４〜図７を用いて説明する。なお、これらの表示画面は機器認証部２００２が生成すればよい。
【００７９】
図４は、無線端末１５の認証画面の表示例を示す図である。
【００８０】
機器一覧リスト１０１には、ネットワークに接続されている機器が見つかった場合は認証済みまたは未認証にかかわらず表示され、見つかった機器は、認証または未認証の情報と合わせて、ストレージ２５に保存される。過去に見つけた機器で、今回見つけられなかった場合は、機器名を他の機器と区別するために表示色を変えて表示することもできる。
【００８１】
機器一覧リスト１０１には、本例では「ＴＶ１（テレビ受信機１）」表示１０２、「ＴＶ２（テレビ受信機２）」表示１０３および「テレビ接続しない」表示１０４が表示されている。例えば、表示順として「認証済み機器」、「未認証機器」、「テレビを接続しない」の順に表示し、「認証済み機器」を先頭に表示するようにしてもよい。また、「テレビを接続しない」１０４を除く機器は、先頭から順に番号が割り付けられ、認証状態に応じて、「認証済み」、「未認証」の表示色を変えることにより状態を認識しやすくすることもできる。
【００８２】
次に、「ＴＶ１（テレビ受信機１）」１０２を認証する場合について説明する。図４において、ユーザが無線端末１５の画面上の「ＴＶ１」表示１０２をタップ操作により選択すると、無線端末１５は、図５に示すような認証コード入力画面が表示する。
【００８３】
図５は、無線端末１５の認証コード入力画面の表示例を示す図である。
【００８４】
認証コード枠１０５をタップ操作により選択すると、ソフトキーボード（本実施例では図示していない）が表示され、半角英数字で認証コードを入力する。全角文字や絵文字などの誤入力を防止するために、認証コードとして使用できない文字やコピー＆ペーストによる入力では認証を禁止することもできる。禁止処理としては、これらの入力自体を禁止したり、入力はできても決定ボタン１０８が機能できないようにする等の処理を行えばよい。中止ボタン１０７を選択すると何もしないで認証コード入力画面を終了する。決定ボタン１０８を選択した場合は、図３（ａ）に示すようにＴＶ１との認証処理を行う。また、認証時の状態（条件）により、図６に示すメッセージを表示する。図６は、無線端末１５のＷｉ−Ｆｉ環境またはテレビ受信機設置条件によるエラーメッセージの表示例を示す図である。Ｗｉ−Ｆｉ環境とテレビ受信機の設置環境などの条件により、エラーメッセージを表示することができる。図６のエラー表示を行うことにより、ユーザに対して、なぜ認証処理ができないのかを説明することができ、ユーザにそれぞれの状態（条件）に応じた適切な操作を促すことができる。なお、図６の例では、無線端末１５とテレビ受信機１との通信はＷｉ−Ｆｉ通信を介して行う例を説明し手いるが、既に説明したその他の無線通信方式に置き換えてもかまわない。
【００８５】
図７は、無線端末１５の「ＴＶ１（テレビ受信機１）」１０２を認証したときの認証画面の表示例を示す図である。
【００８６】
選択している認証機器にはチェックマーク１０９が表示され、どの機器が選択中か判別できる。チェックマーク１０９の代わりに、番号にアイコンを付加してデザインを変えることにより区別できるようにしても良い。
【００８７】
また、認証済みの機器でも、選択項目をタップ操作で選択することにより、認証コード入力画面を表示することができる。これは、機器側で認証コードを変更した場合等に認証コード修正する場合に有効である。
【００８８】
また、再読み込みボタン１０５を選択すると、機器一覧リスト１０１を再読み込みできる。この際、設置環境などの状態（条件）により図６に示すエラーメッセージを表示してもよい。図６は、既に説明したとおり、Ｗｉ−Ｆｉなどの無線通信環境またはテレビ受信機設定等によるエラーメッセージの表示例である。認証処理の際や、機器一覧リスト１０１を再読み込みの際、機器の構成を変更した際などに、他の機器と正しく接続できない場合などに使用する。
【００８９】
図４において、「テレビ接続しない」１０４を選択した場合は、機器との認証を行わない。この際、無線端末１５側のみで予約番組一覧や録画番組一覧などのサンプル画面を表示するように構成してもよい。このようにすれば、テレビ受信機１と接続しない状態のまま、テレビ受信機１と接続した状態と同じように操作することができる。テレビ受信機１の購入前や環境が整っていない場合などに、無線端末１５側の操作をシミュレーションすることができ、ユーザは無線端末１５またはダウンロードプログラムの機能の試用を行うことが可能となり、使い勝手がよい。サンプル画面のデータは、ストレージ２５に格納しておけばよい。
【００９０】
図８は、無線端末１５の機器一覧リスト上の認証対象機器を編集（削除）する場合の編集画面の表示例を示す図である。
【００９１】
図７において、編集ボタン１１０を選択すると、図８に示す編集画面が表示され、「未認証」機器に削除ボタン１１１が表示される。削除したい機器の削除ボタン１１１をタップ操作で選択すると、当該機器は、無線端末１５の機器選択画面から削除される。削除する際には、誤って削除されるのを防止するために、削除したい機器を選択すると削除ボタン１１１が現れるような２段階のステップの操作とすることもできる。終了ボタン１１２をタップ操作で選択すると、編集画面が閉じる。
【００９２】
削除された機器は、ネットワーク内に見つからなければ表示されないが、ネットワーク内に見つかった場合は、機器一覧リスト１０１に未認証機器として表示される。また、無線端末１５に複数の機器認証プログラムが格納されている場合に、別のアプリケーションプログラムから認証を行う場合は、すでに他のアプリケーションプログラムで認証済みの機器であっても再認証が必要なように区別してもよい。
【００９３】
［番組表表示］
以下、無線端末１５で番組表を表示する場合の動作例について、図１（ａ）〜（ｃ）、図９（ａ）（ｂ）、図１０〜図１５を用い説明する。
【００９４】
図９（ｂ）は、テレビ受信機１のＥＰＧ作成プログラム機能、番組予約プログラム機能および番組状態情報作成プログラム機能についての説明図である。図９（ｂ）において、テレビ受信機１の構成のうちストレージ８とメモリ３７を示している。図９（ｂ）は、ストレージ８にＥＰＧ作成プログラム２１０３、番組予約プログラム２１０５および番組状態情報作成プログラム２１０７を格納している。制御部４がＥＰＧ作成プログラム２１０３、番組予約プログラム２１０５および番組状態情報作成プログラム２１０７を、それぞれメモリ３７にＥＰＧ作成部２１０４、番組予約部２１０６および番組状態情報作成部２１０８として展開した状態を示している。なお、ＥＰＧ作成プログラム２１０３、番組予約プログラム２１０５は、製品の出荷時点でストレージ８に格納しておいてもよく、通信Ｉ／Ｆ１２またはデジタル放送波を介してダウンロードしてもよい。
【００９５】
番組予約データ２１０９は、番組予約部２１０６によって作成される情報であって、各番組の予約の詳細情報である予約情報などが含まれる。予約情報は、予約対象の番組を一意に特定するためのネットワークＩＤおよびサービスＩＤおよびイベントＩＤを含む識別情報と、視聴予約か録画予約かを示す情報および対象番組を録画する場合は録画の画質設定を示す情報（例えば、複数の異なる圧縮率の画質のいずれかを識別する情報）および録画先（ストレージ８か、デジタルＩ／Ｆ４４に接続された外部ストレージか、など）を示す情報などの録画予約または視聴予約を実行するに際して必要な予約状態情報と、が含まれる。
【００９６】
ＥＰＧ作成部２１０４は、信号分離部３が分離した番組配列情報を取得し、取得した番組配列情報に基づいてサービスＩＤを横に配列し、各サービスＩＤごとに時系列に沿って下方向に番組欄を並べた電子番組表を作成する。電子番組表の各番組欄には番組配列情報に含まれる番組内容の詳細などの一部または全部を配置することができる。
【００９７】
番組予約部２１０６は、番組予約を行うためのＧＵＩ（Graphical User Interface）を作成し、ＧＵＩ表示に対応してユーザーが入力手段６を介して入力した操作情報に従って予約情報を作成し、番組予約データ２１０９に格納して管理する。また、番組予約データ２１０９に記載された予約情報の内容に従い、番組予約が視聴予約である場合は、予約時刻になった場合に選局制御部５に対して予約された番組を放送するチャンネルのサービスＩＤを送信し、選局制御部５の制御によるチューナ・復調部２の処理および、制御部４による信号分離部３、映像復調部４０、音声復調部３９等の処理を経て、上記サービスＩＤが示す番組を、表示部１１とスピーカ４１とにより、視聴可能とする。番組予約が録画予約である場合も同様にして予約された番組を放送するチャンネルのサービスＩＤを選局制御部５に送信する。この際、録画の画質設定において、録画時に放送コンテンツの圧縮率を変えない場合は、信号分離部３で分離した対象コンテンツの映像情報、音声情報は映像復号部４０及び音声復号部３９にて復号されずにストレージ８に格納される。録画の画質設定において、録画時に放送コンテンツの圧縮率を変える場合は、信号分離部３で分離した対象コンテンツの映像情報および音声情報を映像復号部４０及び音声復号部３９が復号し、復号した映像情報及び音声情報を録画の画質設定に応じた圧縮率で再符号化してストレージ８に格納する。
【００９８】
番組状態情報作成部２１０８は、信号分離部３によって受信信号から分離された番組配列情報ＳＩに記載された識別情報から、所定の属性を持っている番組の識別情報を取得し、取得した識別情報に属性を付すことで番組状態情報を作成する。
【００９９】
図９（ａ）は、無線端末１５のＥＰＧ作成プログラム機能についての説明図である。図９（ａ）において、無線端末１５の構成のうちストレージ２５とメモリ３２を示している。図９（ａ）は、ストレージ２５にＥＰＧ作成プログラム２１０１を格納しており、制御部１７がＥＰＧ作成プログラム２１０１をメモリ３２にＥＰＧ作成部２１０２として展開した状態を示している。ＥＰＧ作成プログラム２１０１は、製品の出荷時点でストレージ２５に格納しておいてもよく、通信Ｉ／Ｆ１６または移動体通信Ｉ／Ｆ３１を介してダウンロードしてもよい。
【０１００】
ＥＰＧ作成部２１０２は、テレビ受信機１のＥＰＧ作成部２１０４と同様であるため、説明を省略する。
【０１０１】
図１０および図１１は、本実施形態の通信端末システムに関連するデータ形式を示す。
【０１０２】
図１０は、番組状態情報のデータ形式の一例を示す図である。
【０１０３】
番組状態情報は、図１０に示されるように、ネットワークＩＤ２０１、サービスＩＤ２０２、イベントＩＤ２０３および属性２０４の形式で構成される。複数のイベント（番組）について格納できる。
【０１０４】
図１１には、図１０の番組状態情報の属性２０４の詳細の一例を示す図である。属性２０４は、テレビ受信機１の視聴または予約等の番組状態２０５を示す。ここで、現在放送されている番組が「３」、選局制御部５によりチューナ・復調部２が同調しているチャンネルの番組であって、現在放送中の番組が「０」、後述する番組予約部２１０２が管理する予約情報にネットワークＩＤ、サービスＩＤ、イベントＩＤが登録されている番組が「１」、「２」、「４」であり、録画予約の場合は「１」、視聴予約の場合は「２」、お好み自動録画予約の場合は「４」である。
【０１０５】
つまり、図１０に示す番組状態情報は、現在または将来放送される複数のイベント（番組）についての識別情報と、テレビ受信機１の処理状況（視聴中等）または処理予定（視聴または予約）等の状態を示す情報である。
【０１０６】
次に、図１（ａ）、図１（ｂ）、図１（ｃ）および図１２を用い、入力手段２０がユーザーからの操作を受け無線端末１５がＥＰＧを表示部１９に表示する場合の例について説明する。
【０１０７】
図１２は、無線端末１５のＥＰＧ作成部２１０２が、ＥＰＧに各番組の属性の識別表示を行うための動作シーケンスの一例を示す図である。つまり、図１２の動作シーケンスは、ＥＰＧ作成プログラム２１０１と無線端末１５の各ハードウェアの協働および番組状態情報作成プログラム２１０５とテレビ受信機１の各ハードウェアの協働により実現される。
【０１０８】
ＥＰＧ作成部２１０２は、入力手段２０によりＥＰＧ起動の指令を受けると（Ｓ４０１）、チューナ・復調部２２を介してまたは通信Ｉ／Ｆ１６や移動体通信Ｉ／Ｆ３１を介して外部ネットワークや配信元から番組配列情報ＳＩを取得する。ＥＰＧ作成部２１０２は、番組配列情報ＳＩに含まれるＥＩＴに基づきＥＰＧ画面を作成し（Ｓ４０２）、表示部１９にＥＰＧ画面を表示させる。また、ＥＰＧ作成部２１０２は、通信Ｉ／Ｆ１６を介してテレビ受信機１に対して、番組状態情報の送信を要求する（Ｓ４０３）。
【０１０９】
テレビ受信機１の番組状態情報作成部２１０８は、通信Ｉ／Ｆ１２を介して無線端末１５から番組状態情報の送信要求を受信すると、ストレージ８に記録されている番組予約データ２１０９を参照して録画予約、視聴予約のある番組の識別情報を取得する。また、番組配列情報ＳＩに含まれる現在視聴中の番組及び放送中の番組の識別情報を取得する。そして取得した識別情報に、各番組の番組状態に応じた属性を付して番組状態情報を作成し、通信Ｉ／Ｆ１２および通信Ｉ／Ｆ１６を経由して無線端末１５のＥＰＧ作成部２１０２に送信する。
【０１１０】
無線端末１５のＥＰＧ作成部２１０２は、番組状態情報作成部２１０８から送信された番組状態情報を受信し（Ｓ４０４）、ステップ４０２で取得した番組配列情報ＳＩに含まれる識別情報に、受信した番組状態情報に記載の識別情報と一致するものがあった場合は（Ｓ４０５：ＹＥＳ）、受信した番組状態情報に含まれるその番組の属性２０４に応じて図１４に示すようにその番組に対して属性の識別表示を付加したＥＰＧ画面を作成し、表示部１９に表示する。この際、番組状態情報の属性が「０」（現在視聴中）の番組は現在視聴中である旨のマークとともに表示し（Ｓ４０７）、属性が「１」（番組予約(録画)）の番組は番組予約(録画)済みである旨のマークとともに表示し（Ｓ４０８）、属性が「２」(番組予約(視聴))の番組番組予約(視聴)済みである旨のマークとともに表示する（Ｓ４０９）。表示の具体例については、図１４を用いて後に説明する。このようにすれば、無線端末１５におけるＥＰＧ表示において、チューナ・復調部２２を介してまたは通信Ｉ／Ｆ１６や移動体通信Ｉ／Ｆ３１を介して外部ネットワークや配信元から取得した番組配列情報ＳＩに含まれる情報に加えて、テレビ受信機１の視聴または予約等の状態を同時に無線端末１５の表示画面に表示することが可能となる。
【０１１１】
この際、無線端末１５がチューナ・復調部２２を備えていない場合には、テレビ受信機１がチューナ・復調部２で受信したデジタル放送信号に含まれる番組配列情報ＳＩに基づいて、テレビ受信機１の状態を加えて生成した番組状態情報と、無線端末１５が通信Ｉ／Ｆ１６や移動体通信Ｉ／Ｆ３１を介して外部ネットワークや配信元から取得した番組配列情報ＳＩの情報とを組合せて、一つのＥＰＧ画面を生成することなる。このようにすることで、テレビ受信機１から無線端末１５へ番組配列情報ＳＩ自体を送信する必要がなくなる。また、テレビ受信機１と無線端末１５とで異なる経路で番組配列情報ＳＩを取得した場合でも、番組状態情報に格納されるネットワークＩＤ２０１、サービスＩＤ２０２、イベントＩＤ２０３などの識別情報の一致を確認することで、属性を示すマークの表示を所望の番組に付して表示することができる。
【０１１２】
図１３は、テレビ受信機１にＥＰＧ画面を表示したときの画面表示の一例を示す図である。マーク３０２は視聴予約を示すマークであり、マーク３０３は録画予約を示すマークであり、ＥＰＧに表示される番組の予約状態が判別できるようになっている。また、四角枠３０１は、現在視聴中の番組を示すものである。
【０１１３】
本実施例の説明では、図１３は無線端末１５に表示されるＥＰＧの画面と対比して説明するためのものであり、操作および操作の説明は省略する。
【０１１４】
図１４は、無線端末１５に表示されるＥＰＧの画面表示の一例を示す図である。四角枠３０４は、現在視聴中の番組を示し、マーク３０５は視聴予約を示すマークであり、マーク３０６は録画予約を示すマークである。図１３および図１４に示すように、図１４のマーク３０５またはマーク３０６の図柄は、それぞれ、図１３のマーク３０２またはマーク３０３の図柄に対応している。また、四角枠３０４は、図１３の四角枠３０１に対応している。本実施例のように、テレビ受信機１と無線端末１５とで、属性の識別表示例として同じマーク形状または枠形状を使用するほうが、マークの意味をユーザが理解しやすいため望ましい。しかしながら、テレビ受信機１と無線端末１５とでそれぞれで異なる形状にしても構わない。また、マークの表示、枠線の形態を変化させる他に、枠内に色を付す、番組名のフォントを変えるなど、属性２０４を有さない番組と属性２０４を有する番組とを区別可能に表示してもよい。
【０１１５】
図１３に示すテレビ受信機１に表示されるＥＰＧと図１４に示す無線端末１５に表示されるＥＰＧは、表示部１１と表示部１９の表示能力の違い（表示アスペクト比、表示画素数等）により、レイアウトを異ならせる必要がある場合がある。例えば、チャンネルごとに時系列にしたがってマトリックス状に配列されたイベント情報（番組）は、その配列が異なる場合がある。また、ＥＰＧの表示領域により同時に表示できるサービスＩＤ（チャンネル番号）およびイベント情報（番組）の数がテレビ受信機１と無線端末１５とで異なる場合がある。
【０１１６】
本実施例の図１４と図１３の例でも、横方向のサービスＩＤ（チャンネル番号）と縦方向の時間軸表示は、テレビ受信機１ではそれぞれ５チャンネル、３時間表示となっていて、無線端末１５ではそれぞれ３チャンネル、４時間表示であり、異なっている。しかしながら、ＴＶ１と無線端末１５に表示される視聴または予約している番組の情報が共有されているため、ユーザーは、テレビ受信機のＥＰＧと無線端末のＥＰＧの両方を見比べることなく、視聴または予約している番組をユーザーが認識することが可能となる。
【０１１７】
なお、図１４と図１３の例のように、マトリックス状にイベント情報（番組）を配列する場合は、少なくとも、テレビ受信機１と無線端末１５とで、イベント情報（番組）の配列の横方向の列の種類（図１４と図１３の例ではチャンネル）と縦方向の列の種類（図１４と図１３の例では時間軸）を共通にしたほうが望ましい。ユーザが両者の対応関係を理解しやすいためである。  なお、以上では無線端末１５からの要求時に番組状態情報を作成するとして説明したが、テレビ受信機１の番組状態情報作成部２１０８が予め番組状態情報を作成しておき、番組状態に変更がある毎に、制御部４が更新するようにし、無線端末１５からの要求があった場合に無線端末１５へ番組状態情報を送信しても良い。
【０１１８】
また、特に頻繁に更新される図１４の「現在視聴中」及び「放送中」の番組状態情報のみを無線端末１５からの要求があった場合に作成し、その他の番組状態情報は無線端末１５からの要求よりも前に予め作成するように構成してもよい。この場合は、番組属性の更新頻度に応じて、番組状態情報の作成、更新のタイミングを変えることにより、処理を効率的に行うことができる。  さらに、テレビ受信機１が、番組状態情報が作成または更新された日時を番組状態情報に含めて記録する構成としてもよい。この際、無線端末１５が番組状態情報の送信を要求した場合に、前回の無線端末１５からの番組状態情報の送信要求以降には更新されていない番組状態情報は送信せず、送信要求以降に更新された番組状態情報を送信するように構成してもよい。無線端末１５では、前回の無線端末１５からの番組状態情報の送信要求以降に更新された番組状態情報を受信し、該当番組については番組状態情報を更新すれば、その他の番組についての番組状態情報は前回受信時したままでも、無線端末１５の番組状態情報を最新のものに更新することができる。これにより、テレビ受信機１−無線端末１５間で通信する情報を簡略化でき、無線端末１５から頻繁に要求があった場合でも、番組状態情報を作成、送信処理を効率化でき、応答速度を速めることができる。
【０１１９】
図１５は、無線端末１５に表示されるＥＰＧの配列方法に関する画面表示の一例を示す図である。
【０１２０】
図１５の例は、制御部１７は、同様にして受信した番組状態情報に「現在視聴中」を示す属性１０４「０」の番組があった場合で、番組状態情報に含まれるこの番組の識別情報と、図１２のステップ４０２で取得した番組配列情報に含まれる識別情報とが一致する番組があった場合は、この番組の識別情報に含まれるサービスＩＤが、他のサービスＩＤよりも優先的に表示部１９の中央に配列されるように制御する例である。
【０１２１】
本実施形態における無線端末１５の表示部１９のＥＰＧ表示では、横方向にサービスＩＤを配置し縦方向に時系列に沿ってイベントを配置しているが、現在視聴中の番組３０４（チャンネル４時）が含まれるサービスＩＤ（放送局：Ｎテレビ）の番組３０７を、他のサービスＩＤよりも優先してＥＰＧ表示の中央に配列するように表示する。表示部１９に、横方向に偶数局が配列される場合は、例えば４局表示のような場合は、左から２番目または３番目の中央寄りに配列しても良い。つまり、上記の例では、図１４のテレビ受信機１のＥＰＧ表示例のように、サービスＩＤ順に並べると、例えば、放送局「ＭＨＫ」が一番左となるマトリックス状の番組情報配列の場合であっても、無線端末１５のＥＰＧ表示では、テレビ受信機１で現在視聴中の番組３０４が含まれるサービスＩＤ（放送局：Ｎテレビ）の番組３０７が中心となるように、上記マトリックス状の番組情報配列の一部を表示するように構成すればよい。
【０１２２】
なお、現在視聴中の番組のサービスＩＤの表示は、ユーザーによる認識が容易であればよく、その表示位置は、中央に限られない。例えば現在視聴中のサービスＩＤを表示部１９の左端若しくは右端に表示してもよい。さらに、少なくともＥＰＧ画面の表示操作を行った場合の初期画面に現在視聴中のサービスＩＤが表示されるように構成することが望ましい。
【０１２３】
つまり、ユーザーによる認識のしやすさの観点から、無線端末１５の表示部１９の表示画面の所定の位置に現在視聴中のサービスＩＤを配置することが望ましい。
【０１２４】
よって、現在視聴中の番組がユーザにより認識しやすいように、無線端末１５のＥＰＧ表示では、上記マトリックス状の番組情報配列について、テレビ受信機１のＥＰＧ表示と比べて異なる部分の抜き出して表示すればよい。  このように、現在テレビ受信機で視聴中の番組を無線端末１５のＥＰＧにおいて中央などの所定の位置に優先的に配列することにより、現在視聴しているチャンネルの番組情報の確認をより好適に行うことができる。また、今後の放送予定または前後のチャンネルの放送番組についての視聴を所望する番組の探索や番組予約においても、現在視聴中の番組またはチャンネルを中心におこなうことができ、ユーザにとって使い勝手がいい。
【０１２５】
なお、以上説明したテレビ受信機１および無線端末１５のＥＰＧ表示の具体的な一例について、図３７、図３８（a）、図３８（ｂ）、図３９（a）、図３９（ｂ）、図４０（a）、図４０（ｂ）を用いて説明する。
【０１２６】
まず、図３７は、テレビ受信機１におけるＥＰＧ情報の配列と表示の関係を示した図である。ＥＰＧ情報の配列３７００は、テレビ受信機１が、チューナ・復調部２で受信したデジタル放送信号に含まれる番組配列情報ＳＩに基づいて生成したものである。横軸が放送局、縦軸が放送時間を示している。現在時刻が１６時〜１７時の間の場合の例を示している。図３７の例ではＤ放送局（ｃｈ０４１）の番組Ｘを視聴中である。当該ＥＰＧ情報の配列３７００のうち、テレビ受信機１では、枠３７０２の範囲の番組を一覧表示する。このとき、枠３７０２の範囲のみを表示するのではなく、枠３７０２の範囲の番組の情報に加え、当該範囲に対応する横軸縦軸の情報を含むＥＰＧ表示を行う。番組Ｘは、現在視聴中の番組を示す四角枠３７０１によって強調表示されている。
【０１２７】
これに対し、図３８（a）、図３８（ｂ）は、同時刻における無線端末１５におけるＥＰＧ情報の配列と表示の関係を示した図である。ＥＰＧ情報の配列３８００は、テレビ受信機１におけるＥＰＧ情報の配列３７００と一見同一のようであるが、上述のとおり、テレビ受信機１から受信するものではなく、無線端末１５が独自にチューナ・復調部２２または通信Ｉ／Ｆ１６や移動体通信Ｉ／Ｆ３１を介して外部ネットワークや配信元から取得した番組配列情報ＳＩに基づいて生成する。
【０１２８】
ここで、デジタル放送規格によっては、放送地域によって異なる番組を放送している場合があり、受信地域に応じて異なる番組表を想定している場合がある。このような場合は、テレビ受信機１および無線端末１５それぞれに初期設定の際に、地域コード等、受信地域を識別する地域識別情報を登録する。ＥＰＧ表示時には、その地域コード等の地域識別情報に対応した番組配列情報ＳＩを取得して、それぞれ上記ＥＰＧ情報の配列３７００およびＥＰＧ情報の配列３８００を生成すればよい。テレビ受信機１における地域識別情報の登録方法としては、（１）取り扱い説明書に記載の該当地域の地域コードを入力する、（２）予め住所と地域コードとの対応テーブルを機器に保持しておき、ユーザに住所を入力させて、対応する地域コードを地域識別情報として登録する、（３）予め郵便番号と地域コードとの対応テーブルを機器に保持しておき、ユーザに郵便番号を入力させて、対応する地域コードを地域識別情報として登録する、などの方法を採用すればいい。無線端末１５における地域識別情報の登録方法としては、上記の（１）、（２）、（３）に加えて、（４）ＧＰＳ受信部で取得した住所情報を用いて対応する地域コードを地域識別情報として登録する方法としてもよい。登録した地域識別情報はそれぞれ図示しない不揮発性メモリなどに格納すればよい。
【０１２９】
ここで、テレビ受信機１および無線端末１５に登録される地域識別情報が異なる地域を示している場合は、ＥＰＧ情報の配列３７００、ＥＰＧ情報の配列３８００の横軸に示される放送局の配列が異なってしまう可能性がある。そこで、無線端末１５でＥＰＧ表示を行う際に、無線端末１５の制御部１７は通信Ｉ／Ｆ１６、通信Ｉ／Ｆ１２を介してテレビ受信機１に登録されている地域識別情報を取得し、無線端末１５に登録されている地域識別情報と比較し、一致しない場合には、ユーザにテレビ受信機１と無線端末１５との地域設定が異なっている旨、またはテレビ受信機１と無線端末１５との地域設定を再設定すべき旨の表示を行う構成としてもよい。これにより、ユーザの再設定を促すことができ、テレビ受信機１と無線端末１５との地域設定が統一され、ＥＰＧ情報の配列３７００、ＥＰＧ情報の配列３８００の横軸に示される放送局の配列順序を揃えることができる。テレビ受信機１のＥＰＧ表示と無線端末１５のＥＰＧ表示とは必ずしも同時に表示されるものではないが、ＥＰＧ情報の配列３７００の横軸とＥＰＧ情報の配列３８００の横軸に示される放送局の配列順序が揃ってれば、ユーザが無線端末１５のＥＰＧ表示を見る際の違和感を減らすことが可能となる。
【０１３０】
ここで、図３８（a）は無線端末１５が、加速度センサ部３３で判別した重力方向に対応して、表示画面の長手方向を上下としてＥＰＧ表示を行う例（縦長画面表示）を示している。この場合、図３８（a）の例では、図３７と同様に、Ｄ放送局（ｃｈ０４１）の番組Ｘを視聴中である。当該ＥＰＧ情報の配列３８００のうち、無線端末１５の縦長の表示画面では、枠３８０２の範囲の番組を一覧表示する。このとき、枠３８０２の範囲のみを表示するのではなく、枠３８０２の範囲の番組の情報に加え、当該範囲に対応する横軸縦軸の情報を含むＥＰＧ表示を行う。番組Ｘは、現在視聴中の番組を示す四角枠３８０１によって強調表示されている。ここで、無線端末１５のＥＰＧ作成部２１０２は、ＥＰＧ表示の初期画面において、現在視聴中の番組Ｘが、例えば、枠３８０２の左右の範囲のうち、ユーザにとって見やすい所定の位置（図では中央の例を示している）になるように枠３８０２の範囲を決定する。なお、上下方向については、現在視聴中の番組は時間軸（図では縦軸）の先頭に来るはずであるから、図の例では、枠３８０２の範囲の一番上に現在視聴中の番組Ｘが配置されるようにすればよい。
【０１３１】
ここで、図３８（ｂ）は無線端末１５が、加速度センサ部３３で判別した重力方向に対応して、表示画面の長手方向を左右としてＥＰＧ表示を行う例（横長画面表示）を示している。この場合も、Ｄ放送局（ｃｈ０４１）の番組Ｘを視聴中である。当該ＥＰＧ情報の配列３８００のうち、無線端末１５の横長の表示画面では、枠３８０３の範囲の番組を一覧表示する。このとき、枠３８０３の範囲のみを表示するのではなく、枠３８０３の範囲の番組の情報に加え、当該範囲に対応する横軸縦軸の情報を含むＥＰＧ表示を行う。この場合も、無線端末１５のＥＰＧ作成部２１０２は、ＥＰＧ表示の初期画面において、現在視聴中の番組Ｘが、例えば、枠３８０３の左右の範囲のうち、ユーザにとって見やすい所定の位置（図ではより中央に近づける例を示している）になるように枠３８０２の範囲を決定する。
【０１３２】
ただし、ＥＰＧ情報の配列３８００における視聴中の番組の位置によっては、当該初期画面の範囲の決定方法を変える必要がある。例えば、図３９（a）、図３９（ｂ）には、現在視聴中の番組が、ＥＰＧ情報の配列３８００の最も左側に配置するｃｈ０１１の番組Ｙ（四角枠３９０１が示される）である場合を示している。図３９（a）が無線端末１５が縦長画面表示の場合のＥＰＧ表示の初期画面を示しており、表示範囲は枠３９０２のように決定される。図３９（ｂ）が無線端末１５の横長画面表示の場合のＥＰＧ表示を示しており、表示範囲は枠３９０３のように決定される。いずれも、表示画面の中央に現在視聴中の番組配置するよりも、より多くの番組を一覧表示することができ、ユーザにとって使い勝手がよい。同様に、図４０（a）、図４０（ｂ）には、現在視聴中の番組が、ＥＰＧ情報の配列３８００の最も右側に配置するｃｈ０９１の番組Ｚ（四角枠４００１が示される）である場合を示している。図４０(a）が無線端末１５が縦長画面表示の場合のＥＰＧ表示の初期画面を示しており、表示範囲は枠４００２のように決定される。図４０（ｂ）が無線端末１５の横長画面表示の場合のＥＰＧ表示を示しており、表示範囲は枠４００３のように決定される。
【０１３３】
以上説明したように、テレビ受信機１および無線端末１５とで表示されるＥＰＧ情報の配列順を同じくすれば、無線端末１５のＥＰＧ画面は、テレビ受信機１が受信する番組配列情報ＳＩとは異なる経路で取得した番組配列情報ＳＩに基づいて生成したにもかかわらず、ユーザは、テレビ受信機１のＥＰＧ表示の一部を表示している感覚で、無線端末１５のＥＰＧ表示を取り扱うことができ、使い勝手がよい。なお、図１３のや図１４で示す、各番組の属性の識別表示マークのモチーフやデザインをテレビ受信機１と無線端末１５とで共通にすることにより、ユーザに対して、テレビ受信機１のＥＰＧ表示の一部を表示している感覚をさらに高めることができ、使い勝手を向上することができる。
【０１３４】
さらに、無線端末１５のＥＰＧ表示の初期画面に表示するＥＰＧ情報の配列の範囲を、現在視聴中の番組のＥＰＧ情報の配列内での位置及び無線端末１５の表示画面の長手方向に応じて決定する。これにより、現在視聴中の番組を観やすくしながら、より多くの番組情報を一覧表示することが可能となる。
【０１３５】
以上説明したとおり、本発明のテレビ受信機１および無線端末１５によれば、ユーザにとってより使い勝手のよい番組表表示が可能となる。
【０１３６】
［番組表表示からの選局］
以下、無線端末１５の番組から放送中の番組を選局するときの動作例について、図１（ａ）〜（ｃ）、図１６（ａ）〜（ｃ）および図１７を用いて説明する。
【０１３７】
無線端末１５およびテレビ受信機１のＥＰＧ作成プログラム機能については、図９（ａ）、（ｂ）と同じであるため、ここでは説明を省略する。
【０１３８】
無線端末１５のＥＰＧ作成部２１０２は、入力手段２０によりＥＰＧ起動の指令を受けると、チューナ・復調部２２を介してまたは通信Ｉ／Ｆ１６や移動体通信Ｉ／Ｆ３１を介して外部ネットワークや配信元から番組配列情報ＳＩを取得する。ＥＰＧ作成部２１０２は、番組配列情報に含まれるＥＩＴに基づき横方向にサービスＩＤ（チャンネル番号）ごとに現在放送中のイベント（番組）を配列させた放送中番組のＥＰＧ画面を作成し、表示部１９にＥＰＧを表示する。また、ＥＰＧ作成部２１０２は、テレビ受信機１に対して、番組状態情報の送信を要求する。
【０１３９】
テレビ受信機１の番組状態情報作成部２１０８は、番組状態情報の送信要求を受信すると、ストレージ８に記録されている番組予約データ２１０９を参照して録画予約、視聴予約のある番組の識別情報を取得する。また、番組配列情報ＳＩに含まれる現在視聴中の番組及び放送中の番組の識別情報を取得する。次に、取得した識別情報に、各番組の番組状態に応じた属性を付して番組状態情報を作成し、無線端末１５の通信Ｉ／Ｆ１６を経由してＥＰＧ作成部２１０２に送信する。
【０１４０】
無線端末１５のＥＰＧ作成部２１０２は、テレビ受信機１の番組状態情報作成部２１０８から送信された番組状態情報を受信し、チューナ・復調部２２を介してまたは通信Ｉ／Ｆ１６や移動体通信Ｉ／Ｆ３１を介して外部ネットワークや配信元から取得した番組配列情報ＳＩに含まれる識別情報に、受信した番組状態情報に記載の識別情報と一致するものがあった場合は、受信した番組状態情報に含まれるその番組の属性２０４に応じて図１６（ａ）に示すように番組欄に録画予約マーク３０６を表示させる。
【０１４１】
図１６は、現在視聴中の番組表一覧から選局を行う画面を示している。例えば、当該機能の画面では、現在視聴中の番組の番組詳細を起動時の初期表示として表示する。番組詳細４０３には、その番組の出演者や番組内容などを含めることができ、放送波からチューナ２２を介して番組配列情報を取得している場合はＥＩＴに含まれた番組詳細の一部または全部の内容を表示する。また、番組配列情報を外部ネットワーク１４から通信Ｉ／Ｆ１６や移動体通信Ｉ／Ｆ３１を介して取得している場合は、外部ネットワーク１４からＸＭＬなどの形式で提供される番組に関する情報の一部または全部を番組詳細として表示する。また、ネットワークＩＤ（地デジ、ＢＳ、ＣＳ等）表示４０２は、複数の放送ネットワークのうち、現在「地デジ」の番組が選択されていることを示している。
【０１４２】
図１６の例では、番組３０４（女神の市場）が現在視聴中の番組であるので、この番組の番組詳細が起動時の初期表示として表示される。また、番組３０４の四角枠は、図１４と同様に現在視聴中の番組を示すものである。テレビ受信機１がビデオ入力等を介して外部機器を視聴中の場合など、放送番組を視聴していない場合は、無線端末１５で最後に表示していた番組を起動時の初期表示とすることもできる。
【０１４３】
次に、番組表からの選局操作について説明する。
【０１４４】
図１６（ａ）は、無線端末１５に表示される現在放送中番組をタップ操作したときの画面表示例を示す図である。図１６（ｂ）は、無線端末１５に表示される現在放送中番組を左右にドラッグ操作またはフリック操作したときの操作例を示す図である。
【０１４５】
現在放送中の番組は、横方向にチャンネル番号ごとに番組が配置されており、図１６（ｂ）のように番組表示欄４０１を左右にドラッグ操作またはフリック操作することにより放送中番組一覧を左右にスクロールしながら確認することができる。また、図１６（ａ）のように番組表示欄４０１のいずれかの番組をタップ操作することにより番組詳細４０３に番組詳細内容を表示することもできる。
【０１４６】
また、図１６（ｃ）は、ＥＰＧから番組を選局する場合の操作例を示す図である。また、「視聴するボタン」４０４は、このボタンを選択することにより、現在選択中の番組を一意に特定できる情報を含む選局情報を、無線端末１５からテレビ受信機１に送信する。選局情報を受信したテレビ受信機１の制御部４は、選局制御部５を経由してチューナ２を制御し、選択された放送中の番組を表示部１１に表示するように制御する。また、番組表示枠を上方向にフリック操作すると、番組表示欄部分のコピーが画面上部方向の外へ飛び出すようなアニメーション表示を行い、同様に当該番組を選局することができる。これにより、ユーザにとって視覚的に理解しやすい選局表示を行うことができる。
【０１４７】
ここで、無線端末１５からテレビ受信機１へ送信する選局情報の一例としては、ネットワークＩＤとサービスＩＤ（チャンネル番号）を含めばよい。イベントＩＤは含めても省略してもよい。
【０１４８】
再読み込みボタン４０５は、タップ操作により放送中の番組一覧を再読み込みを行うためのもので、この際に、後述する図１７に示すようなＷｉ−Ｆｉ等の無線通信環境または３Ｇ等の移動体通信網の通信環境が変化した場合等に応じてメッセージを表示することができる。
【０１４９】
ネットワークＩＤ（地デジ、ＢＳ、ＣＳ等）表示４０２は、複数の放送ネットワークのうち、現在「地デジ」の番組が選択されていることを示している。
【０１５０】
図１７は、Ｗｉ−Ｆｉ等の無線通信環境または３Ｇ等の移動体通信網の通信環境によるエラーメッセージの表示例を示す図である。番組配列情報ＳＩは、通信Ｉ／Ｆ１６や移動体通信Ｉ／Ｆ３１を介して外部ネットワークや配信元から取得することが可能であるため、いずれかからも受信できない場合は、エラーメッセージ２０６のように表示することができる。
【０１５１】
このように、現在テレビ受信機で視聴中の番組をＥＰＧの中央に優先的に配列することにより、現在視聴しているチャンネルの番組情報の確認を行うことができ、前後のチャンネルの放送番組も現在視聴中の番組またはチャンネルを中心にして見たい番組を探したり、選局したりすることができる。
【０１５２】
［番組表表示からの予約（録画）］
以下、無線端末１５からテレビ受信機１の番組予約、予約内容の確認などの動作例について、図１（ａ）〜（ｃ）、図１８（ａ）（ｂ）および図１９〜図２５を用いて説明する。
【０１５３】
図１８（ａ）は、無線端末１５のＥＰＧ作成プログラム機能、番組予約プログラム機能についての説明図である。図１８（ａ）において、無線端末１５は、ストレージ２５に番組予約データ２２０３、ＥＰＧ作成プログラム２１０１、番組予約プログラム２２０１を格納しており、制御部１７がＥＰＧ作成プログラム２１０１、番組予約プログラム２２０１をメモリ３２にＥＰＧ作成部２１０２、番組予約部２２０２として展開した状態を示している。ＥＰＧ作成プログラム２１０１、番組予約プログラム２２０１は、製品の出荷時点でストレージ２５に格納しておいてもよく、通信Ｉ／Ｆ１６や移動体通信Ｉ／Ｆ３１を介してダウンロードしてもよい。
【０１５４】
図１８（ｂ）は、テレビ受信機１のＥＰＧ作成プログラム機能、番組予約プログラム機能、番組状態情報作成プログラム機能についての説明図である。図１８（ｂ）は、図９（ｂ）に対して、ストレージ８に録画データ２２０４を備えている。録画データ２２０４には、ストレージ８およびデジタルＩ／Ｆ４４に接続された外部ストレージの残容量、および録画予約されている番組を録画した場合の予想サイズなどが格納される。
【０１５５】
録画予約データ２１０９および番組予約部２１０６の詳細は、前述の［番組表表示］の例における図９（ｂ）のテレビ受信機１の録画予約データ２１０９及び番組予約部２１０６と同様であるため、説明を省略する。
【０１５６】
無線端末１５のストレージ２５は、入力手段２０が受け付けたユーザー操作に従い番組予約部２２０２により作成された予約情報を番組予約データ２２０３に格納する。また、通信Ｉ／Ｆ１２、通信Ｉ／Ｆ１６を経由して受け取ったテレビ受信機１の予約情報を番組予約データ２２０３に一時的に保存する。
【０１５７】
また、無線端末１５の制御部１７は、番組予約データ２２０３に保存された予約情報を通信Ｉ／Ｆ１６、通信Ｉ／Ｆ１２を経由して、テレビ受信機１の制御部４に送信することができる。
【０１５８】
テレビ受信機１のストレージ８は、入力手段６が受けたユーザー操作に従い番組予約部２１０６により作成された予約情報を番組予約データ２１０９に保存する。また、通信Ｉ／Ｆ１６、通信Ｉ／Ｆ１２を経由して受け取った無線端末１５の予約情報を番組予約データ２１０９に保存または上書き保存する機能を有する。さらに、制御部１７の要求により、ストレージ８の番組予約データ２１０９に保存された予約情報を通信Ｉ／Ｆ１２、通信Ｉ／Ｆ１６を経由して、制御部１７に送信することができる。
【０１５９】
テレビ受信機１の番組予約部２１０２は、予約情報に含まれる各設定項目についてプルダウン形式、チェックボックス形式などで設定内容を選択できるＧＵＩを作成し、入力手段６が受け付けたユーザー操作に従い、予約情報を作成する。
【０１６０】
次に、図１９および図２０を用いて本実施形態の通信端末システムに関連するデータ形式について説明する。
【０１６１】
図１９は、予約情報のデータ形式の一例を示す図である。
【０１６２】
予約情報は、図１９に示されるように、番組名２１０、日付、時刻、チャンネル２０２、録画モード、視聴／録画のデータから構成される。録画モードのデータは視聴／録画のデータが「録画」である場合のみ使用され、ＴＳ（放送画質）、ＴＳＥ（高画質・録画時間２倍）、ＴＳＸ４（高画質・録画時間４倍）、ＴＳＥ８（高画質・録画時間８倍）、ＴＳＸ２４（最長録画時間）のように録画の画質（それぞれ映像の圧縮率が異なり、最大録画時間が異なる）を示す。また、上記の例に加えて予約情報には、毎週同じ時間帯に録画を行うことを示す「毎回／毎週予約」、毎回／毎週予約で新しく録画する番組を前回録画した番組に上書き（前回録画を削除して今回の番組を録画すること）するかしないかを示す「更新録画設定」、録画した映像、音声のデータを保存するフォルダを指定する「フォルダ指定」、テレビ受信機１が複数の録画先（ＨＤＤ、ＤＶＤなど）を有す場合に予約録画する番組の録画先を示す「録画先」などの情報が含まれていても良い。
【０１６３】
図２０は、予約情報のデータ形式の一変形例を示す図である。
【０１６４】
図２０の予約情報のデータ形式は、図１９に比べて番組名２１０が無い。この例では、無線端末１５では、この番組名などチャンネル２１１及び日付、時刻情報は、テレビ受信機１から無線端末１５へ送信した予約情報に含まれる情報を用い、その他の番組に関連する情報については、テレビ受信機１から無線端末１５へ送信せずに無線端末１５のＥＰＧ作成部２１０２より作成されたＥＰＧの番組情報を用いるようにしてもよい。さらには、ネットワークＩＤとサービスＩＤとイベントＩＤのように、番組を一意に特定できる情報（識別情報など）と、特定された番組の予約に関する情報（予約状態情報など）が送信されればよい。
【０１６５】
このようにすることにより、テレビ受信機１と無線端末１５間の通信データの量を低減できる。また、無線端末１５が、外部ネットワークまたは通信ネットワークから番組配列情報を入手できる場合は、テレビ受信機１と無線端末１５間の通信データの量を増やさずに、より番組情報量が多く詳細な情報の表示が可能となる。
【０１６６】
次に、図１（ａ）、図１（ｂ）、図１（ｃ）および図２１〜図２３を用いて、ユーザーが無線端末１５のＥＰＧを起動して番組予約をする場合の例について説明する。
【０１６７】
入力手段２０により、番組予約マークの付いた番組を選択した場合について説明する。
【０１６８】
図２１は、ＥＰＧによる番組予約時の動作シーケンスの一例を示す図である。図２１の動作シーケンスは、ＥＰＧ作成プログラム２１０１、番組予約プログラム２２０１と無線端末１５の各ハードウェアの協働及び番組予約プログラム２１０５、番組状態情報作成プログラム２１０７とテレビ受信機１の各ハードウェアの協働により実現される。
【０１６９】
図２２は、無線端末１５に表示されるＥＰＧの画面表示の一例を示す図である。
【０１７０】
図２３は、予約設定画面２１３の表示例を示す図である。また、図２４は、詳細設定画面５０５の表示例を示す図である。
【０１７１】
識別情報取得の処理（Ｓ４０４）までは、図１２の説明と同様であるため省略する。ＥＰＧ番組に識別マークを表示した後（Ｓ５０１）、入力手段２０により図２２に示す録画予約マークの付いた番組「ヒラメキパーツ」５０１が選択され（Ｓ５０１）、その番組が録画予約マーク付きの番組、すなわちテレビ受信機１ですでに予約された番組であるので（Ｓ５０３：ＹＥＳ）、無線端末１５の制御部１７は、テレビ受信機１の制御部４に対して選択された番組の予約情報の送信を要求する（Ｓ５０４）。予約情報の送信要求には、その番組の識別情報が含まれており、その識別情報は無線端末１５の制御部１７がＥＰＧ作成部２１０２から取得する。
【０１７２】
テレビ受信機１の制御部４は、予約情報の送信を要求された番組を、予約情報の送信要求に含まれる識別情報から特定し、録画予約データ２１０９を参照して要求された番組の予約情報を無線端末１５の制御部１７に送信する。無線端末１５の制御部１７は、テレビ受信機１の制御部４から送信された予約情報を受信し（Ｓ５０５）、図２３に示すように予約設定画面５０２を表示する（Ｓ５０６）。予約設定画面５０２は、録画モードや視聴／録画の区別を設定するため図２４の予約詳細設定画面５０５に移行するための「予約ボタン」５０３を備える。
【０１７３】
次に、入力手段２０により図２３の「予約ボタン」５０３が選択されると（Ｓ５０７）、図２４に示すように無線端末１５の制御部１７が作成した詳細設定画面５０５を表示部１９が表示する（Ｓ５０８）。
【０１７４】
本実施例における予約情報には、「録画モード」と「視聴／録画」に関する情報が含まれているため、予約詳細設定画面５０５には予約情報から取得したこれらの情報が表示される。これらの情報は無線端末１５の入力手段２０が受け付ける入力により、たとえばプルダウン形式などのように変更可能な形式で表示される。具体的には、「録画モード」は、上述のＴＳ、ＴＳＥ、ＴＳＸ４、ＴＳＥ８、ＴＳＸ２４等を選択可能とし、、「視聴／録画」は、視聴予約や録画予約を選択可能とすればよい。これにより、テレビ受信機１から送信された予約情報の内容を無線端末１５側で変更することができる。
【０１７５】
図２４の「予約するボタン」５０４は、予約詳細設定画面５０５で設定変更等を行った後に予約をテレビ受信機１に再登録するためのボタンである。入力手段２０により図２２の「予約するボタン」５０４が選択されると（Ｓ５０９）、無線端末１５の制御部１７は予約設定状態を新たな予約情報として作成し、通信Ｉ／Ｆ１６、通信Ｉ／Ｆ１２を経由して、テレビ受信機１の制御部４に送信する（Ｓ５１０）。
【０１７６】
テレビ受信機１の番組予約部２１０６は、受け取った予約情報が有効な予約情報かどうか判別するために、ストレージ８の録画データ２２０４の必要データ量、番組予約数、番組予約の重なりなどをチェックする（Ｓ５１１）。予約情報が有効であればストレージ８の番組予約データ７に予約情報を上書き保存し正常終了する（Ｓ５１１：ＹＥＳ、Ｓ５１２）。
【０１７７】
有効でなければ、テレビ受信機１の番組予約部２１０６は通信Ｉ／Ｆ１２、通信Ｉ／Ｆ１６を経由して、無線端末１５の制御部１７に対して予約状態情報を送信する（Ｓ５１１：ＮＯ、Ｓ５１３）。有効でない場合とは、予約情報が示す番組の録画に必要なデータ量が録画データ２２０４の残容量を超えている場合、番組予約数が所定の数を超えている場合、同じ時間帯に２つの録画予約がされている場合、などである。なお、テレビ受信機１が複数番組の同時録画に対応している場合は同時録画可能な数を超えた録画予約がされた場合に有効でないと判断する。
【０１７８】
テレビ受信機１の録画データ２２０４の番組録画データの予約番組数が最大になっている場合を例とすると、テレビ受信機１の番組予約部２１０６から予約状態情報を受信した無線端末１５の番組予約部２２０２は、図２５に示すように予約状態情報表示５０６を表示し（Ｓ５１４）、ユーザーに対して「予約がいっぱいです」等のメッセージ内容を示す。
【０１７９】
なお、番組予約マークの付いた番組を選択して、予約内容を変更しない場合は、すでにテレビ受信機１側で確定している予約情報のため、上記ステップＳ５１１、Ｓ５１３およびＳ５１４の動作は必ずしも行う必要はない。
【０１８０】
本実施例では、番組予約マークの付いている番組を選択した場合について説明したが、番組予約マークの付いていない番組を選択して、新規予約する場合も同様に予約状態情報に基づいた表示ができる。この場合は、図２１に示すようにステップ５０３次にステップ５０６を行えばよく、ステップ５０４、ステップ５０５は不要である。またこの際のステップ５０８において表示する詳細設定画面は、図２４の詳細設定画面５０５と同様で構わないが、番組予約マークの付いている番組を選択した場合と異なり、当該番組についてテレビ受信機１から送信された予約情報を受信していない。よって、詳細設定画面５０５における「録画モード」と「視聴／録画」の選択の初期表示は、予め定めた所定の選択肢を表示し、上述の図２４の説明と同様にプルダウン形式で複数の選択肢から所望の選択肢を選択可能とすればよい。その他のステップについては、番組予約マークの付いている番組を選択した場合と同様であるので説明を省略する。
【０１８１】
以上説明した処理によれば、無線端末側でテレビ受信機の番組予約を新規に登録したり、予約済みの番組予約の変更も簡単に行うことができる。さらに無線端末およびテレビ受信機間のデータ通信量も低減することができる。また、テレビ受信機側の予約状態を知ることができ、ユーザーに対してメッセージを表示したり、自動的に設定を変更するなどにより、より好適に番組予約を行うことができる。
【０１８２】
［録画番組の視聴］
以下、テレビ受信機１に録画した番組を無線端末１５で再生する場合について、図１（ａ）〜（ｃ）、図２６（ａ）（ｂ）および図２７〜図３６を用いて説明する。
【０１８３】
図２６（ａ）は、無線端末１５の録画番組一覧作成プログラム機能についての説明図である。図２６（ａ）において、無線端末１５の構成のうちストレージ２５とメモリ３２を示している。図２６（ａ）は、ストレージ２５に録画番組一覧作成プログラム２３０１を格納しており、制御部１７が録画番組一覧作成プログラム２３０１をメモリ３２にＥＰＧ録画番組一覧作成部２３０２として展開した状態を示している。録画番組一覧作成プログラム２３０１は、製品の出荷時点でストレージ２５に格納しておいてもよく、通信Ｉ／Ｆ１６または移動体通信Ｉ／Ｆ３１を介してダウンロードしてもよい。
【０１８４】
図２６（ｂ）は、テレビ受信機１の録画番組一覧作成プログラム機能についての説明図である。図２６（ｂ）において、テレビ受信機１の構成のうちストレージ８とメモリ３７を示している。図２６（ｂ）は、ストレージ８に録画番組一覧作成プログラム２３０３を格納しており、制御部４が録画番組一覧作成プログラム２３０３をメモリ３７に録画番組一覧作成部２３０４として展開した状態を示している。また、ストレージ８にコンテンツ２３０５および録画番組一覧データ２３０６を備えている。コンテンツ２３０５には番組予約等で録画された録画番組が格納されており、録画番組一覧データ２３０６には録画番組一覧作成部２３０４により作成された録画番組一覧情報が格納されている。録画番組一覧データ２３０６は、コンテンツ２３０５の一部としても格納されても良い。録画番組一覧作成プログラム２３０３は、製品の出荷時点でストレージ８に格納しておいてもよく、通信Ｉ／Ｆ１２またはデジタル放送波を介してダウンロードしてもよい。
【０１８５】
以下、無線端末１５の録画番組一覧作成部２３０２またはテレビ受信機１の録画番組一覧作成部２３０４による機能を説明する。
【０１８６】
録画番組は、前述した番組予約等によりテレビ受信機１のストレージ８に保存されたコンテンツ２３０５である録画番組を録画番組一覧により再生する場合について説明する。
【０１８７】
図２７は、録画番組一覧による録画番組の再生動作シーケンスの一例を示す図である。図２７の動作シーケンスは、録画番組一覧プログラム２３０１と無線端末１５の各ハードウェアの協働及び録画番組一覧プログラム２３０３とテレビ受信機１の各ハードウェアの協働により実現される。
【０１８８】
無線端末１５の録画番組一覧作成部２３０２は、入力手段２０により録画番組一覧起動の指令を受けると（Ｓ６０１）、テレビ受信機１の録画番組一覧作成部２３０４に対して、録画番組一覧情報の送信を要求する（Ｓ６０２）。テレビ受信機１の録画番組一覧作成部２３０４は、録画番組一覧情報の送信を要求された番組について、ストレージ８の録画番組一覧データ２３０６を参照して、要求された録画番組一覧情報を無線端末１５の録画番組一覧作成部２３０２に送信する（Ｓ６０３）。無線端末１５の録画番組一覧作成部２３０２は、テレビ受信機１の録画番組一覧作成部２３０４から送信された録画番組一覧情報を受信し、録画番組一覧画面を表示する（Ｓ６０４）。録画番組一覧画面には録画番組が階層表示されており、入力手段２０により録画番組一覧画面の階層を選択する（Ｓ６０５）。録画番組名が表示されているセルを選択すると（Ｓ６０６）、その録画番組名の録画番組を識別するための録画番組識別情報と再生するための再生操作情報をテレビ受信機１に対して送信する（Ｓ６０７）。テレビ受信機１は、録画番組識別情報と再生操作情報を基に、当該録画番組を再生する（Ｓ６０８）。
【０１８９】
図２８は、テレビ受信機１の録画番組一覧情報の階層構造の一例を示す図である。
【０１９０】
図２８において、テレビ受信機１の録画番組一覧情報の階層構造は、機器名の下に第１階層から第４階層から構成され、第１階層はＨＤＤまたはカセットＨＤＤからなる保存メディア選択層、第２階層は録画番組またはダウンロードからなる保存種類選択階層、第３階層はすべて、未視聴、番組名、ジャンル等からなる分類選択階層、第４階層は番組名（タイトル）の選択階層である。第３階層または第４階層の下に、それぞれ録画番組一覧が存在する。
【０１９１】
図２９は、無線端末１５に表示される録画番組一覧の階層構造の画面表示の一例を示す図である。
【０１９２】
図２９において、戻るボタン６０１はタップ操作により上の階層に戻るためのボタンであり、そのボタンに表示された階層に戻ることができることを示している。また、階層表示６０２は、直前の選択階層を示すもので、図２９の例では第１階層で「ＨＤＤ」を選び、第２階層で「録画番組」を選び、現在第３階層にいることを示している。分類／番組タイトル表示６０４は、現在選択中の階層の分類または番組タイトルを表示する領域である。再読み込みボタン６０３は、録画番組一覧データをテレビ受信機１から再読み込みするときに使用される。
【０１９３】
図３０は、各階層を選択しているときの階層表示例を示す図である。すなわち、図２９の上部に表示される一部分の表示例である。
【０１９４】
図３０の（ａ）は現在第１階層にいるときを示し、分類／番組タイトル表示５０４には何も表示されない。図３０の（ｂ）は第２階層で「ＨＤＤ」を選び現在第２階層にいるときを示し、分類／番組タイトル表示６０４には「録画番組」および「ダウンロード」が表示される。図３０の（ｃ）は第１階層で「ＨＤＤ」を選び第２階層で「録画番組」を選び第３階層で「ジャンル」を選び現在第４階層にいることを示し、分類／番組タイトル表示６０４には各ジャンルが表示される。また、図３０の（ｄ）は第１階層で「ＨＤＤ」を選び、第２階層で「録画番組」を選び、第３階層で「ジャンル」を選び、第４階層で「スポーツ」を選んでいることを示し、分類／番組タイトル表示６０４には録画番組一覧（番組タイトル）が表示される。
【０１９５】
このように、無線端末のように表示領域が狭い場合でも、各階層を分かりやすく表示でき、深い階層でも容易に録画番組を選択することができる。
【０１９６】
図３１は、図３０の（ｄ）の階層で番組タイトルを選択する場合の表示例を示す図である。
【０１９７】
図３１において、「録画番組タイトル６」６０５が再生中であり、別の録画番組を探す場合の例である。三角マーク６０７はこの録画番組が再生中であることを示している。また、状態表示６０６は、現在再生中であることを示している。また、録画番組タイトルはドラッグ操作またはフリック操作により、上下にスクロールすることができる。
【０１９８】
図３２は、録画番組タイトルをスクロールするときの遷移の一例を示す図である。
【０１９９】
図３１において、録画番組タイトルが全部で２２番組あった場合の例を示している。
【０２００】
図３０の（ｄ）の階層を選択した場合、無線端末１５の録画番組一覧作成部２３０２は、図２７に示すシーケンスでテレビ受信機１から録画番組一覧情報を取得する。録画番組タイトルは、本例では２０件単位で取得するようになっている。図３２のように最初は「番組タイトル１」〜「番組タイトル２０」まで取得し、録画番組一覧の一番下までスクロールすると、無線端末１５の録画番組一覧作成部２３０２は、テレビ受信機１に対して残りの「番組タイトル２１」〜「番組タイトル２２」までを取得し、「番組タイトル１」〜「番組タイトル２２」まで表示可能とする。
【０２０１】
このように、２０件単位で番組タイトルを取得することにより、録画番組タイトルが非常に多い場合でも無線端末１５の録画番組一覧作成部２３０２またはテレビ受信機１の録画番組一覧作成部２３０４などの負担を大きくすることなく素早く録画番組の一覧を表示することができる。また、最下部の番組タイトルまでスクロールしたときに自動的に次の番組タイトルを取得するため、「次の２０件を表示」などのような選択をユーザに行わせることを必要とせずに表示でき、ユーザにとって使い勝手がよい。一度に表示する件数は、無線端末１５の録画番組一覧作成部２３０２またはテレビ受信機１録画番組一覧作成部２３０４などの処理の負担を考慮して決定すればよい。また、一度に表示する件数をユーザーが選択できるようにしても良い。また、再読み込みボタン６０３をタップ操作により選択した場合は、すべての番組タイトルを再読み込みするように構成してもよい。
【０２０２】
次に、図３１において録画番組の「番組タイトル３」６０４を再生する場合について説明する。「番組タイトル３」６０４をタップ操作すると、この録画番組の再生コマンドは、無線端末１５の制御部１７から通信Ｉ／Ｆ１６、通信Ｉ／Ｆ１２を経由してテレビ受信機１の制御部４に送信され、テレビ受信機１のストレージ８に保存されたコンテンツ２３０５である録画番組の再生動作を行い、テレビ受信機１では、表示部１１に当該番組が再生表示される。または、映像出力部４３から再生映像を出力してもよい。ここで、無線端末１５では図３３のように再生画面６０８が表示される。
【０２０３】
図３３は、無線端末１５で録画番組一覧から番組タイトルを再生する指示を行った場合の、無線端末１５の画面表示の一例を示す図である。
【０２０４】
図３３において、第３階層のジャンルに分類された録画番組タイトルを、テレビ受信機１で再生していることを示している。分類表示６１０には、その番組タイトルが分類されている第３階層が表示される。本例では、「ジャンル」が選択されていることを示している。
【０２０５】
シークバー６１３は、現在の再生位置に応じて自動的に移動させるもので、シークバー６１３の左側には現在の再生時間６１１、右側に録画番組の長さ６１２を表示する。
【０２０６】
シークバー６１３をドラック操作により左右の再生位置を変更することができ、ドラッグ操作を止めた時点から再生を開始するようにできるようになっている。再生位置は、シークバー６１３の表示幅と録画番組の長さの比率により再生位置を算出でき、その結果を再生操作情報に再生位置情報を付加してテレビ受信機１に通知して、これらの情報を受信したテレビ受信機１が再生位置を変更する。
【０２０７】
プレイリストを再生する場合は、シークバー６１３の表示幅がプレイリストコンテンツ全体の全録画時間の長さとなるようにすれば良い。プレイリスト再生中は、プレイリストに編集された各コンテンツの録画時間の長さとシークバーとの比率により再生位置を算出でき、ドラッグ操作を止めた時点から再生を開始するようにできる。変形例として、再生位置の算出せずにドラッグ操作を止めた時点でその位置から再生せずに元の再生位置に戻るようにしても良い。
【０２０８】
番組情報表示部６０９には、番組タイトル、録画日付、録画開始時間、チャンネルなどが表示される。
【０２０９】
操作パネル６１４は、録画番組を再生するための再生関係の操作ボタンである。録画番組を再生操作するために、操作パネル６１４の各ボタンをタップ操作すると、早送り、早戻しなどの操作を行うことができる。また、操作パネル６１４は、操作ボタンの数によりこの表示領域に表示できない場合は、左右のフリック操作により操作パネル６１４を入れ替えて表示することもできる。
【０２１０】
このように、テレビ受信機で録画または録画予約した番組を無線端末側で番組タイトルを確認しながら再生等の操作を行うことができ、ユーザにとって使い勝手がよい。
【０２１１】
次に、再生中の番組の番組情報や出演者情報を検索するための動作について説明する。
【０２１２】
図３４において、番組情報表示部５０８をタップ操作すると、検索画面がポップアップ表示（図３３の画面の前面に表示）される。
【０２１３】
図３４には、無線端末１５における検索画面のポップアップ表示６１５の一例を示す。
【０２１４】
図３４において、「番組表で調べる」６１６を選択した場合は、無線端末１５が取得した、現在放送中または今後放送予定の番組配列情報ＳＩの中から連続ドラマなどの同じ番組タイトルの番組を探したり、同じ出演者が出演している番組を探したりすることが可能となる。「ＸＸＸ検索で調べる」６１７を選択した場合は、Ｗｅｂ検索エンジンを使用して、外字を除いた番組タイトルを検索ワードとしたり、もう少し詳細に検索する場合は、番組説明情報からキーワードを選択してＷｅｂ検索したりすることもできる。また、「ＹＹＹで調べる」６１８を選択した場合は、フリー百科辞典などで番組タイトルなどから関連情報を検索できる。検索を中止する場合は、「中止」６１９を選択すると、元の再生画面に戻る。また、各検索画面を終了した場合は、中止動作と同様に元に再生画面に戻る。
【０２１５】
このように、テレビ受信機で録画または録画予約した番組を再生しながら、無線端末側で番組タイトルに関する情報を検索できる。
【０２１６】
次に、無線端末１５で録画番組一覧画面の表示する場合の変形例について説明する。
【０２１７】
無線端末１５は、テレビ受信機１から録画番組一覧情報を取得して表示部１９に録画番組一覧を表示するが、無線端末１５とテレビ受信機１との通信プロトコルとしてＵＰｎＰ（Universal Plug&Play）やＤＬＮＡ（Digital Living NetworkAlliance）などのプロトコルを使用できる。しかしながら、本実施例のように、無線端末１５がテレビ受信機１から録画番組一覧情報を取得する場合、番組詳細説明情報等の情報を受け渡すために８拡張プロトコルを新たに導入する必要が生じる場合がある。
【０２１８】
以下の変形例では、番組詳細説明情報がテレビ受信機側から取得できない場合の動作について以下説明する。
【０２１９】
図３５は、ＥＰＧによる番組予約時の動作シーケンスの一変形例を示す図である。図３５の動作シーケンスは、ＥＰＧ作成プログラム２１０１、番組予約プログラム２２０１と無線端末１５の各ハードウェアの協働及び番組予約プログラム２１０５、番組状態情報作成プログラム２１０７とテレビ受信機１の各ハードウェアの協働により実現される。また、図３６には、録画番組一覧による録画番組の再生動作シーケンスの一変形例を示す図である。図３６の動作シーケンスは、録画番組一覧プログラム２３０１と無線端末１５の各ハードウェアの協働及び録画番組一覧プログラム２３０３とテレビ受信機１の各ハードウェアの協働により実現される。
【０２２０】
図３５において、図２１に対して、ステップＳ１２０１が追加になっている。
【０２２１】
ここで、ステップＳ１２０１以外のステップ（Ｓ４０１〜Ｓ４０４、Ｓ５０１〜Ｓ５１４）については、図２１の説明と同様であるため詳細の説明は省略する。
【０２２２】
図２４に示す詳細設定画面を表示し（Ｓ５０８）、図２４の「予約するボタン」５０４が選択されると（Ｓ５０９）、予約番組名（番組タイトル）と番組詳細説明情報を１対１で対応付けてストレージ２５に保存する。次に、無線端末１５の制御部１７は予約設定状態を含む予約情報を、通信Ｉ／Ｆ１６、通信Ｉ／Ｆ１２を経由して、テレビ受信機１の制御部４に送信する（Ｓ５１０）。
【０２２３】
図３６において、図２７に対して、ステップ１３０１および１３０２が追加になっている。
【０２２４】
ここで、ステップ１３０１および１３０２以外のステップ（Ｓ６０１〜Ｓ６０８）については、図２７の説明と同様であるため詳細の説明は省略する。
【０２２５】
テレビ受信機１の制御部４は、ストレージ８を参照して、要求された録画番組一覧情報を無線端末１５の制御部１７に送信する（Ｓ６０３）。無線端末１５の制御部１７は、テレビ受信機１の制御部４から送信された録画番組一覧情報を受信し、図３５で無線端末１５のストレージ２５に保存された予約番組名（番組タイトル）と番組詳細説明情報の対応付け情報から、録画番組一覧情報の録画番組名（番組タイトル）の番組詳細説明情報があるかを判断し（Ｓ１３０１）、もし番組詳細説明情報がある場合は、取得した録画番組一覧情報にその番組詳細説明情報を付加し（Ｓ１３０２）、録画番組一覧作成部２０１０により録画番組一覧画面を表示する（Ｓ６０４）。
【０２２６】
なお、テレビ受信機１側で番組予約する場合は、自動的に無線端末１５を立ち上げてテレビ受信機側で予約した番組タイトルと番組詳細説明情報を対応付けしておく構成としてもよい。また、録画予約実行後に、テレビ受信機側で録画番組のタイトル名をユーザーが編集する場合は、元のタイトル名と編集後のタイトル名をセットにして番組詳細説明情報と対応付けすれば良い。
【０２２７】
このように、通常、現在取得できるＥＰＧの番組情報は過去の番組情報を持たないが以上説明した処理によれば、、番組予約を行った時点での予約番組名（番組タイトル）とその番組の番組詳細説明情報を対応付けされるため、テレビ受信機側から番組詳細説明情報を取得しなくても録画番組一覧画面に該当番組の番組詳細説明情報を表示できる。
【０２２８】
なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０２２９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０２３０】
また、各処理例で説明したプログラムは、それぞれ独立したプログラムでもよく、複数のプログラムが一つのアプリケーションプログラムを構成していてもよい。
【０２３１】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０２３２】
１  テレビ受信機
２  チューナ・復調部
３  信号分離部
４  制御部
５  選局制御部
６  入力手段
８  ストレージ
１０  重畳部
１１  表示部
１２  通信Ｉ／Ｆ
１３  無線ルーター
１４  外部ネットワーク
１５  無線端末
１６  通信Ｉ／Ｆ
１７  制御部
１９  表示部
２０  入力手段
２１  信号分離部
２２  チューナ・復調部
２４  テレビ受信機
２５  ストレージ
３２  メモリ
３３  加速度センサ部
３４  地磁気センサ部
３５  ＧＰＳ受信部
３６  ジャイロセンサ部
３７  メモリ
３９  音声復号部
４０  映像復号部
４１スピーカ
４２  音声出力部
４３  映像出力部
４４  デジタルＩ／Ｆ
【図１（ａ）】
2015109666.tif 000003
【図１（ｂ）】
2015109666.tif 000004
【図１（ｃ）】
2015109666.tif 000005
【図２（ａ）】
2015109666.tif 000006
【図２（ｂ）】
2015109666.tif 000007
【図３（ａ）】
2015109666.tif 000008
【図３（ｂ）】
2015109666.tif 000009
【図３（ｃ）】
2015109666.tif 000010
【図４】
2015109666.tif 000011
【図５】
2015109666.tif 000012
【図６】
2015109666.tif 000013
【図７】
2015109666.tif 000014
【図８】
2015109666.tif 000015
【図９（ａ）】
2015109666.tif 000016
【図９（ｂ）】
2015109666.tif 000017
【図１０】
2015109666.tif 000018
【図１１】
2015109666.tif 000019
【図１２】
2015109666.tif 000020
【図１３】
2015109666.tif 000021
【図１４】
2015109666.tif 000022
【図１５】
2015109666.tif 000023
【図１６（ａ）】
2015109666.tif 000024
【図１６（ｂ）】
2015109666.tif 000025
【図１６（ｃ）】
2015109666.tif 000026
【図１７】
2015109666.tif 000027
【図１８（ａ）】
2015109666.tif 000028
【図１８（ｂ）】
2015109666.tif 000029
【図１９】
2015109666.tif 000030
【図２０】
2015109666.tif 000031
【図２１】
2015109666.tif 000032
【図２２】
2015109666.tif 000033
【図２３】
2015109666.tif 000034
【図２４】
2015109666.tif 000035
【図２５】
2015109666.tif 000036
【図２６（ａ）】
2015109666.tif 000037
【図２６（ｂ）】
2015109666.tif 000038
【図２７】
2015109666.tif 000039
【図２８】
2015109666.tif 000040
【図２９】
2015109666.tif 000041
【図３０】
2015109666.tif 000042
【図３１】
2015109666.tif 000043
【図３２】
2015109666.tif 000044
【図３３】
2015109666.tif 000045
【図３４】
2015109666.tif 000046
【図３５】
2015109666.tif 000047
【図３６】
2015109666.tif 000048
【図３７】
2015109666.tif 000049
【図３８（ａ）】
2015109666.tif 000050
【図３８（ｂ）】
2015109666.tif 000051
【図３９（ａ）】
2015109666.tif 000052
【図３９（ｂ）】
2015109666.tif 000053
【図４０（ａ）】
2015109666.tif 000054
【図４０（ｂ）】
2015109666.tif 000055
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
受信装置と直接または間接的に通信可能な通信Ｉ／Ｆと、
コンテンツを示す情報の一覧であるコンテンツリストを生成するコンテンツリスト生成部と、
タッチパネルと一体に構成され、前記コンテンツリストの少なくとも一部を表示可能な表示部と、
前記タッチパネルへの指の接触であるタッチ、前記タッチパネルを指で叩く操作であるタップ操作、及び前記タッチパネル上での指の移動を検出する検出部と、を備え、
前記表示部が前記コンテンツリストの一部を表示している状態において、前記検出部が前記タッチパネル上での指の第１の方向への移動を検出した場合に、前記表示部は、表示されていなかった前記コンテンツリストの一部を表示し、
前記検出部が前記タッチパネル上で、前記コンテンツリストに含まれるコンテンツについての情報表示枠内でのタップ操作を検出した場合には、前記表示部は、情報表示枠をタップされた前記コンテンツについての詳細情報を表示し、
前記検出部が前記タッチパネル上での指の前記第１の方向に対して略直交する第２の方向への移動を検出した場合に、前記通信Ｉ／Ｆは、前記検出部が検出する前記タッチパネルへの入力に応答して選択された前記コンテンツリストに含まれる一のコンテンツを前記受信装置で出力するための情報を、前記受信装置に送信する、
ことを特徴とする携帯端末。